(57)【要約】【課題】従来のタイヤパンク時のタイヤ支持物は、タイヤ支持部分が車軸側に変形できないためタイヤ支持物の大きさに制限を与えるものや、車軸方向に軸とその軸を挿入する穴で固定されないためにタイヤ支持部分同士の様々な方向の外力への連結強度が低いものや、使い勝手のよくないものや、タイヤ支持物同士の間にできるつなぎ目の隙間が大きく常にタイヤを支持することが困難なものなどであった。【解決手段】本発明のタイヤパンク時のタイヤ支持物は、タイヤ支持物の外径の接地部分の大きさをタイヤ内側の空間の外径と近い大きさにし、タイヤ支持部分同士の連結強度を保ち、タイヤ支持物の使用が簡便に行え、タイヤ支持物同士の間にできるつなぎ目の隙間による段差を少なくしたタイヤ支持物の使用を目的とするものである。【選択図】図２３
2013216107.tif 000002
【特許請求の範囲】
【請求項１】
車輪のタイヤとホイールリムで囲まれた輪形状の空間内においてパンクしたタイヤの内側の面に接触して車輪としての支持用の輪形状であるタイヤ支持物であり、
前述の輪形状であるタイヤパンク時のタイヤ支持物は、輪を２個以上の複数個に分割したタイヤ支持部分、及び、前述の分割したタイヤ支持部分同士を連結するジョイント、により構成され、
前述の分割したタイヤ支持部分同士が連結することによって輪の形状となるタイヤパンク時のタイヤ支持物において、
前述の分割したタイヤ支持部分同士を連結するジョイントが、
隣り合う分割したタイヤ支持部分同士の距離を保ちタイヤ支持部分同士の回転運動用である車軸と平行な方向又は車軸とほぼ平行な方向に設置した軸、よりなるタイヤ支持部分同士の連結用回転軸、
及び、
隣り合う分割したタイヤ支持部分同士を車軸と平行な方向又はほぼ平行な方向への移動及び固定用である、
車軸と平行な又はほぼ平行な方向へ設置可能である溝形状のレール用ガイド及び前述の溝形状のレール用ガイドにはまる形状である連結及びスライド用の突起形状連結部、又は、車軸と平行な又はほぼ平行な方向へ設置可能である柱形状のレール用ガイド及び前述の柱形状のレール用ガイドにはまる形状である連結及びスライド用の穴形状連結部、よりなる往復運動するスライド用ガイド、
を構成としたことを特徴とする、タイヤパンク時のタイヤ支持物。
【請求項２】
上記請求項１に記載の、タイヤパンク時のタイヤ支持物における、分割したタイヤ支持部分同士のジョイントにおいて、
上記請求項１に記載のタイヤ支持部分に連結した車軸と平行な方向又はほぼ平行な方向に回転運動を行う回転軸、又は、上記請求項１に記載の隣り合う分割したタイヤ支持部分同士を車軸と平行な方向又はほぼ平行な方向への移動及び固定用である往復運動をするスライド用ガイドの、いずれか又はその両方を車輪の回転方向に対する前後両端に構成する柱又はプレート、よりなるタイヤ支持部分同士の連結用のアーム又は突起、
を構成としたことを特徴とする、タイヤパンク時のタイヤ支持物。
【請求項３】
上記請求項１又は上記請求項２に記載の、タイヤパンク時のタイヤ支持物における、分割したタイヤ支持部分において、
上記請求項１に記載のタイヤ支持部分に直接設置されるタイヤ支持部分同士の連結用の突起、又は、上記請求項２に記載のタイヤ支持部分同士の連結用のアーム又は突起、を挿入又は連結し固定用の穴又は溝、
を構成としたことを特徴とする、タイヤパンク時のタイヤ支持物。
【請求項４】
上記請求項１又は請求項２に記載の、タイヤパンク時のタイヤ支持物の構成部分において、
車軸と平行又はほぼ平行な方向へスライドをする連結用の軸又は突起、及び、その連結用の軸又は突起を内包又は貫通させ車軸と平行又はほぼ平行な方向へスライドさせることが可能である穴又は溝よりなる、分割したタイヤ支持部分同士の着脱用機構、
を構成としたことを特徴とする、タイヤパンク時のタイヤ支持物。
【請求項５】
上記請求項１〜請求項４記載のタイヤパンク時のタイヤ支持物の車軸側へ面した面において、取っ手、又は、取っ手用の溝又は穴、
を構成としたことを特徴とする、タイヤパンク時のタイヤ支持物。
【請求項６】
ホイールリム又はホイールディスクのタイヤ側における車軸と垂直又は垂直に近い円周面上において、
上記請求項１〜請求項５記載のタイヤパンク時のタイヤ支持物を挟み込む固定用の凹凸構造部分、
を構成としたことを特徴とする、パンク対応用車輪。
【発明の詳細な説明】
【技術分野】
【０００１】
本発明は、パンク対応用車輪に関する。
【背景技術】
【０００２】
従来のパンク対応用車輪について、以下０００３〜００１７により説明する。
【０００３】
特許４１０２９８１のタイヤとホイールリムで囲まれた空間内に入れるタイヤパンク時のタイヤ支持物については、特許４１０２９８１「発明の実施の形態」において、「図６は・・・４付近の１’下部で１７の左右のつっかいの働きをする凹凸付きの凸条、により１’の間を支え・・・。」と記述し、（４５）のつっかい用の構造物が車輪の左右で支えられることが記載されている。
【０００４】
また特許４１０２９８１「発明の実施の形態」の「図６は・・・」以降、「又、このホイールは１２がない物や、１２が１つにつながったリング形状をした物で１７の働きをする物を１６の点線部付近などに構成した物などでは請求項２の車輪となり、１７が左右のリングと一体化され前述の１２が途中で２を結ぶ方向に分離し接合される物は請求項１の車輪となる。」と記述し、つっかい用構造物がホイールと同じ材質で作られることが可能であることを記載している。
【０００５】
広辞苑に「つっかい」の意味は、「物にあてて支え保つこと。また、その支えに使う柱や棒。つっぱり。支柱。」と記載している。
【０００６】
上記０００３〜０００５より、タイヤ支持物のつっかい用構造物には左右をホイールにより固定することが可能な板状又は棒状の形状をしたものが含まれることがわかる。
【０００７】
特開２００５−３１３６９０の明細書（公報第３頁第４０〜４５行）において、ランフラットタイヤ支持体は、ランフラットタイヤにおいてリムに装着される環状のランフラットタイヤ支持体であって、独立気泡樹脂発泡体にて構成される基材部と、前記基材部の外周面側に設けられた補強部とを有し、前記補強部は、樹脂層と、前記樹脂層中に形成され、タイヤ周方向に巻き回されたコード材からなるコード層とにより構成され、前記樹脂層の内周面に、タイヤ周方向と交差する方向に延びた凹溝が形成される点が記載されているが、特開２００５−３１３６９０に記載のコード材は特許４１０２９８１に記載のつっかい用構造物の役割を果たすものではないことが考えられる。
【０００８】
また特開２００５−３１３６９０は車軸と垂直方向に分割できないために、タイヤ支持物を変形させてタイヤ内部に入れるために、タイヤ支持物の弾性力を考慮してタイヤ支持物の高さをあまり高く設定できないためにタイヤを支持する時の径が大幅に変わったり、以下に記述した特開２００５−３１３７９１のようにタイヤ支持物とタイヤ内面に大きな隙間が生じてタイヤ内部とタイヤ支持物による摩擦熱が発生しやすくなることが考えられる。
【０００９】
特開２００７−０５５３９９の明細書（公報第４頁第８〜１１行）において、タイヤ用ホイール１はリム２の径方向外側に突出する支持中子３を備えている。リム及び支持中子はそれぞれが別個に周方向に複数に分割されており、支持中子の各セクターがそれぞれ連結された後、セクターの内周側にリムのセクターが組み込まれ、各セクターがそれぞれ環状のディスクを介して車軸に着脱可能に固定されるようになっており、このタイヤパンク時における支持物はそれぞれ分割されその分割したタイヤ支持物を個々にタイヤ内部に入れ連結するタイプのタイヤ支持物であることがわかり、タイヤ支持物の外周側に位置するタイヤ側のつなぎ目が離れているのでいつも均一にタイヤに接地している訳ではなく、
また、円周の長さを保ったまま軸の回転運動によりタイヤ支持物同士を着脱するタイプのものではないので装着時にホイール側の径以上にタイヤ支持物がタイヤ内部空間に入り込んだりしてタイヤ支持物同士の着脱がしにくくなる。
【００１０】
特開２００３−３４１３１１については、このタイヤ支持物もそれぞれ分割されているが、タイヤ支持物の円周に対するつなぎ目に段差ができる形状であり、タイヤ支持物と常に同じ様な条件で接していることができないものである。
【００１１】
特開２００８−６８８５７についてはタイヤ支持物同士を軸の回転運動をして着脱するものでないために、タイヤ内部でタイヤ支持物同士を広げなければタイヤ支持物同士の着脱が行えないためにタイヤ支持物の高さをあまり高く設定できず、パンク中の走行時にタイヤとタイヤ支持物の間で摩擦熱が生じやすくなる。
【００１２】
ムースタイヤなどはタイヤをホイールに装着した後、タイヤとホイールの隙間から特殊な装置を用いてタイヤとホイールリムで囲まれる空間内部に入れるため手間がかかり、輪形状になったムースとムースが接合する分割部分に連結機構は存在しないものであり、また、クリンチャータイヤなどは外側のタイヤ内部に空気を入れる輪形状のチュ−ブを入れた構造となっており、タイヤとホイールリムで囲まれる空間に中空状の輪形状のものを入れるものは昔から存在している。
【００１３】
特開２００３−３４１３１１号公報については、タイヤを支持するブロックとブロックのつなぎ目の間が広く、また、ブロックとブロックの連結用のフックがいずれも支持物と一体化されており、タイヤとリムで囲まれる空間内にタイヤを支持するタイヤ支持物の大きい部分を連結部と同時に入れなくてはならずタイヤ支持物の形状に制限が生まれていた。
【００１４】
特開２００８−６８８５７号公報については、タイヤ支持物の雄型の接合部材と雌型の接合部材がタイヤ支持物のタイヤ支持部分と一体化されて設けられているために、上記００１３と類似の問題点を有した。
【００１５】
特公昭５６−７８８５号公報については、（１３）の接支部と（１４）の支持部が一体化されたものでありかつ一つ一つのブロックが同形状のものによる組み立てによって輪の形状になるものであるので、上記００１３と類似の問題点を有した。
【００１６】
特公昭５８−９００３号公報については、上記００１５と同様に環状のフラットプロテクタと別体であり、また、耳片（３０）と板部材（２４）が一体化されているので、上記００１５と同様にタイヤ支持物の高さが高くできないための構造であることがわかる。
【００１７】
特開２００５−１７０３７９号公報と特開２００２−２００９０６号公報については、上記００１２からも従来のものの形状又は役割を変化させたタイヤとホイールリムで囲まれた空間に入れるもののうちの一つであり、また、特開２００５−１７０３７９号公報と特開２００２−２００９０６号公報は、タイヤ支持物の車軸と平行な方向の断面についての出願であり、タイヤ内部の空間におけるタイヤ内壁の高さ付近までタイヤ支持物の高さを高くできる構造のものを示したものではないことがわかる。
【先行技術文献】
【特許文献】
【００１８】
【特許文献１】特許４１０２９８１
【特許文献２】特開２００５−３１３６９０
【特許文献３】特開２００７−０５５３９９
【特許文献４】特開２００３−３４１３１１
【特許文献５】特開２００８−６８８５７
【特許文献６】特開２００３−３４１３１１号公報
【特許文献７】特開２００８−６８８５７号公報
【特許文献８】特開２００５−１７０３７９号公報
【特許文献９】特公昭５８−９００３号公報
【特許文献１０】特開２００２−２００９０６号公報
【特許文献１１】特公昭５６−７８８５号公報
【非特許文献】
【００１９】
【非特許文献１】広辞苑
【非特許文献２】ＪＩＳハンドブック「自動車ＩＩ」日本規格協会２００５
【非特許文献３】ベストカー編「タイヤのすべてがわかる本」三推社、講談                        社  ２００８
【非特許文献４】カナ引き  工業用語辞典  ジャパンマシニスト社
【非特許文献５】特願２０１０−１３１０９５
【発明の概要】
【発明が解決しようとする課題】
【００２０】
従来のタイヤパンク時のタイヤ支持物は、タイヤ支持部分が車軸側に変形できないためタイヤ支持物の大きさに制限を与えるものや、車軸方向に軸とその軸を挿入する穴で固定されないためにタイヤ支持部分同士の様々な方向の外力への連結強度が低いものや、使い勝手のよくないものや、タイヤ支持物同士の間にできるつなぎ目の隙間が大きく常にタイヤを支持することが困難なものなどであった。
【００２１】
本発明のタイヤパンク時のタイヤ支持物は、タイヤ支持物の外径の接地部分の大きさをタイヤ内側の空間の外径と近い大きさに製造しても使用することができるのでタイヤ支持物使用時のタイヤとタイヤ支持物との接地部分が常に又はほとんど支持でき、タイヤ支持部分同士の連結強度を保ち、タイヤ支持物の使用が簡便に行え、タイヤ支持物同士の間にできるつなぎ目の隙間による段差を少なくしたタイヤ支持物の使用を目的とするものである。
【課題を解決するための手段】
【００２２】
上記目的を達成するために、本発明のタイヤパンク時のタイヤ支持物の解決手段の一つは、車輪のタイヤとホイールリムで囲まれた輪形状の空間内においてパンクしたタイヤの内側の面に接触して車輪としての支持用の輪形状であるタイヤ支持物であり、前述の輪形状であるタイヤパンク時のタイヤ支持物は、輪を２個以上の複数個に分割したタイヤ支持部分及び、前述の分割したタイヤ支持部分同士を連結するジョイントにより構成され、前述の分割したタイヤ支持部分同士が連結することによって輪の形状となるタイヤパンク時のタイヤ支持物において、前述の分割したタイヤ支持部分同士を連結するジョイントが、隣り合う分割したタイヤ支持部分同士の距離を保ちタイヤ支持部分同士の回転運動用である車軸と平行な方向又は車軸とほぼ平行な方向に設置した軸、よりなるタイヤ支持部分同士の連結用回転軸、及び、隣り合う分割したタイヤ支持部分同士を車軸と平行な方向又はほぼ平行な方向への移動及び固定用である、車軸と平行な又はほぼ平行な方向へ設置可能である溝形状のレール用ガイド及び前述の溝形状のレール用ガイドにはまる形状である連結及びスライド用の突起形状連結部、又は、車軸と平行な又はほぼ平行な方向へ設置可能である柱形状のレール用ガイド及び前述の柱形状のレール用ガイドにはまる形状である連結及びスライド用の穴形状連結部、よりなる往復運動するスライド用ガイド、を構成としたことを特徴とする。
【００２３】
本発明のタイヤパンク時のタイヤ支持物の一つは、上記００２２に記載の、タイヤパンク時のタイヤ支持物における、分割したタイヤ支持部分同士のジョイントにおいて、上記００２２に記載のタイヤ支持部分に連結した車軸と平行な方向又はほぼ平行な方向に回転運動を行う回転軸や、上記００２２に記載の隣り合う分割したタイヤ支持部分同士を車軸と平行な方向又はほぼ平行な方向への移動及び固定用である往復運動をするスライド用ガイドの、いずれか又はその両方を車輪の回転方向に対する前後両端に構成する柱又はプレート、よりなるタイヤ支持部分同士の連結用のアーム又は突起、又は、上記００２２に記載のタイヤ支持部分に直接設置するタイヤ支持部分同士の連結用の突起、を構成としたことを特徴とする。
【００２４】
本発明のタイヤパンク時のタイヤ支持物の一つは、上記００２２又は上記００２３に記載の、タイヤパンク時のタイヤ支持物における、分割したタイヤ支持部分において、上記００２２に記載のタイヤ支持部分に直接設置されるタイヤ支持部分同士の連結用の突起、又は、上記００２３に記載のタイヤ支持部分同士の連結用のアーム又は突起、を挿入又は連結し固定用の穴又は溝、を構成としたことを特徴とする。
【００２５】
本発明のタイヤパンク時のタイヤ支持物の一つは、タイヤパンク時のタイヤ支持物が上記００２２又は上記００２３に記載のタイヤパンク時のタイヤ支持物の構成部分において、車軸と平行又はほぼ平行な方向へスライドをする連結用の軸又は突起、及び、その連結用の軸又は突起を内包又は貫通させ車軸と平行又はほぼ平行な方向へスライドさせることが可能である穴又は溝よりなる、分割したタイヤ支持部分同士の着脱用機構、を構成としたことを特徴とする。
【００２６】
本発明のタイヤパンク時のタイヤ支持物の一つは、上記００２２〜００２５記載のタイヤパンク時のタイヤ支持物の車軸側へ面した面において、取っ手、又は、取っ手用の溝又は穴、を構成としたことを特徴とする。
【００２７】
本発明のパンク対応用車輪は、ホイールリム又はホイールディスクのタイヤ側における車軸と垂直又は垂直に近い円周面上において、上記００２２〜００２６記載のタイヤパンク時のタイヤ支持物を挟み込む固定用の凹凸構造部分、を構成としたことを特徴とする。
【００２８】
上記００２２の作用は、車輪のタイヤとホイールリムで囲まれた輪形状の空間内においてパンクしたタイヤの内側の面に接触して車輪としての支持用の輪形状であるタイヤ支持物であり、前述の輪形状であるタイヤパンク時のタイヤ支持物は、輪を２個以上の複数個に分割したタイヤ支持部分及び、前述の分割したタイヤ支持部分同士を連結するジョイントにより構成され、前述の分割したタイヤ支持部分同士が連結することによって輪の形状となるタイヤパンク時のタイヤ支持物において、前述の分割したタイヤ支持部分同士を連結するジョイントが、隣り合う分割したタイヤ支持部分同士の距離を保ちタイヤ支持部分同士の回転運動用である車軸と平行な方向又は車軸とほぼ平行な方向に設置した軸、よりなるタイヤ支持部分同士の連結用回転軸、及び、隣り合う分割したタイヤ支持部分同士を車軸と平行な方向又はほぼ平行な方向への移動及び固定用である、車軸と平行な又はほぼ平行な方向へ設置可能である溝形状のレール用ガイド及び前述の溝形状のレール用ガイドにはまる形状である連結及びスライド用の突起形状連結部、又は、車軸と平行な又はほぼ平行な方向へ設置可能である柱形状のレール用ガイド及び前述の柱形状のレール用ガイドにはまる形状である連結及びスライド用の穴形状連結部、よりなる、往復運動するスライド用ガイド、を構成としたことを特徴としたために、高さの高い個々のタイヤ支持部分を連続的に順番にタイヤとホイールで囲まれる空間内に入れ、タイヤを寝かせた状態で次々とタイヤ支持部分をタイヤ内に入れることができる。
【００２９】
上記００２３の作用は、上記００２２に記載の、タイヤパンク時のタイヤ支持物における、分割したタイヤ支持部分同士のジョイントにおいて、上記００２２に記載のタイヤ支持部分に連結した車軸と平行な方向又はほぼ平行な方向に回転運動を行う回転軸や、上記００２２に記載の隣り合う分割したタイヤ支持部分同士を車軸と平行な方向又はほぼ平行な方向への移動及び固定用である往復運動をするスライド用ガイドの、いずれか又はその両方を車輪の回転方向に対する前後両端に構成する柱又はプレート、よりなるタイヤ支持部分同士の連結用のアーム又は突起、又は、上記００２２に記載のタイヤ支持部分に直接設置するタイヤ支持部分同士の連結用の突起、を構成としたことを特徴としたために、分割したタイヤ支持部分に連結する連結用アーム又は突起を、隣り合う分割したタイヤ支持部分にある連結用アーム又は突起同士で連結する構造にしたり、分割したタイヤ支持部分に連結する連結用アーム又は突起を、隣り合う分割したタイヤ支持部分に直接連結する構造にしたりすることが可能である。
【００３０】
上記００２４の作用は、上記００２２又は上記００２３に記載の、タイヤパンク時のタイヤ支持物における、分割したタイヤ支持部分において、上記００２２に記載のタイヤ支持部分に直接設置されるタイヤ支持部分同士の連結用の突起、又は、上記００２３に記載のタイヤ支持部分同士の連結用のアーム又は突起、を挿入又は連結し固定用の穴又は溝、を構成としたことを特徴としたために、タイヤ支持部分の内部に連結用アーム又は突起を入れ固定したり、アーム又は突起をとめ具で固定したりして、連結用アーム又は突起をタイヤ支持部分に固定することが可能である。
【００３１】
上記００２５の作用は、タイヤパンク時のタイヤ支持物が上記００２２又は上記００２３に記載のタイヤパンク時のタイヤ支持物の構成部分において、車軸と平行又はほぼ平行な方向へスライドをする連結用の軸又は突起、及び、その連結用の軸又は突起を内包又は貫通させ車軸と平行又はほぼ平行な方向へスライドさせることが可能である穴又は溝よりなる、分割したタイヤ支持部分同士の着脱用機構、を有したために、タイヤを寝かせた状態で先に入れたタイヤ支持部分に上からすなわち車軸と平行な方向へ滑らせる様に次のタイヤ支持部分を連結することが可能である。
【００３２】
上記００２６の作用は、上記００２２〜００２５記載のタイヤパンク時のタイヤ支持物の車軸側へ面した面において、取っ手、又は、取っ手用の溝又は穴、を構成としたために、タイヤを横に寝かせた状態でタイヤからタイヤ支持物の取っ手に手をかけることが可能である。
【００３３】
上記００２７の作用は、ホイールリム又はホイールディスクのタイヤ側における車軸と垂直又は垂直に近い円周面上において、
上記００２２〜００２６記載のタイヤ支持物を挟み込む固定用の凹凸構造部分、を構成としたために、
本発明のタイヤ支持物の円周上を左右両側から挟み込む様に固定することが可能である。
【発明の効果】
【００３４】
本発明のタイヤ支持物の一つは、高さの高い個々のタイヤ支持部分を連続的に順番にタイヤとホイールで囲まれる空間内に入れ、タイヤを寝かせた状態で次々とタイヤ支持部分をタイヤ内に入れることが可能であるために、
タイヤ支持物の大きい構成部分をタイヤ内部に入れたままばらばらに分解することなく簡便にタイヤ支持物の装着ができ、タイヤの径やタイヤの形状に近いタイヤ支持物の使用が利用可能な効果を有する。
【００３５】
本発明のタイヤ支持物の一つは、分割したタイヤ支持部分に連結する連結用アーム又は突起を、隣り合う分割したタイヤ支持部分にある連結用アーム又は突起同士で連結する構造にしたり、分割したタイヤ支持部分に連結する連結用アーム又は突起を、隣り合う分割したタイヤ支持部分に直接連結する構造にしたりすることが可能であるために、分割した隣り合うタイヤ支持部分同士を接近させすぎずにタイヤ内部に入れ、その後にタイヤ支持部分同士を連結固定することが可能な効果を有する。
【００３６】
本発明のタイヤ支持物の一つは、タイヤ支持部分の内部に連結用アーム又は突起を入れ固定したり、アーム又は突起をとめ具で固定したりして、連結用アーム又は突起をタイヤ支持部分に固定することが可能であるために、
タイヤ支持物構成物の連結部同士を強固に固定することが可能な効果を有する。
【００３７】
本発明のタイヤ支持物の一つは、タイヤを寝かせた状態で先に入れたタイヤ支持部分に上からすなわち車軸と平行な方向へ滑らせる様に次のタイヤ支持部分を連結することが可能であるために、
タイヤ支持部分を任意の方向のみから連結することが可能であり、タイヤ支持物を簡便に組み上げることが可能な効果を有する。
【００３８】
本発明のタイヤ支持物の一つは、タイヤを横に寝かせた状態でタイヤからタイヤ支持物の取っ手に手をかけることが可能であるために、
タイヤ支持物を簡便にタイヤから引き出すことが可能となる効果を有する。
【００３９】
本発明のタイヤ支持物の一つは、本発明のタイヤ支持物の円周上を左右両側から挟み込む様に固定することが可能であるために、
タイヤ支持物の内径を広げずにタイヤ支持物をホイールへ簡便に着脱することが可能となる効果を有する。
【図面の簡単な説明】
【００４０】
【図１】本発明のタイヤ支持物の説明のための簡略図一例
【図２】本発明の請求項１と請求項２のタイヤ支持物連結部分の簡略図一例
【図３】本発明の請求項１と請求項２のタイヤ支持物の簡略図一例
【図４】本発明で使用可能なタイヤ支持物構成部分の簡略図一例
【図５】本発明で使用可能なタイヤ支持物部分の簡略図一例
【図６】本発明で使用可能なタイヤ支持物部分の簡略図一例
【図７】本発明で使用可能なタイヤ支持物部分の簡略図一例
【図８】本発明で使用可能なタイヤ支持物部分の簡略図一例
【図９】本発明で使用可能なタイヤ支持物のストッパー機構一例の簡略図
【図１０】本発明で使用可能なタイヤ支持物の簡略図一例
【図１１】本発明で使用可能なタイヤ支持物部分の簡略図一例
【図１２】本発明で使用可能なタイヤ支持物部分の簡略図一例
【図１３】本発明で使用可能なタイヤ支持物部分の簡略図一例
【図１４】本発明の請求項６のタイヤ支持物部分の簡略図一例
【図１５】本発明で使用可能なタイヤ支持物部分の簡略図一例
【図１６】本発明のタイヤ支持物部分の簡略図一例
【図１７】本発明のタイヤ支持物で使用可能なタイヤ支持物構造の簡略図一例
【図１８】本発明で使用可能であるタイヤ支持部分の簡略図一例
【図１９】本発明で使用可能であるタイヤ支持部分構成部の簡略図一例
【図２０】本発明のスライド用機構を含むタイヤ支持部分構成部の簡略図一例
【図２１】本発明で使用可能なタイヤ支持物構成部を含んだ物の簡略図一例
【図２２】本発明の請求項５の取っ手部分の簡略図一例
【図２３】本発明で使用可能なタイヤパンク時のタイヤ支持物の簡略図一例
【図２４】本発明で使用可能なタイヤ支持物の固定機構の簡略図一例
【発明を実施するための最良の形態】
【００４１】
以下、本発明の実施の形態を図１〜図９に基づいて説明する。
【００４２】
図１の（Ａ）は車輪一例の図を示し、（１）は車輪、（２）は車軸であり、視点（ａ）は車軸と平行な位置から見た図における視点であり、視点（ｂ）は車軸と垂直な位置から見た図における視点を示したものである。
【００４３】
以下に記載する「左右方向の断面」と「タイヤ支持物を上から見た断面」と「車軸と平行に切った断面」と「車軸と垂直な位置から見た図」はそれら４つが同じ又はそれら４つがほぼ同じである方向から見たものであり、また、「円周方向の断面」と「タイヤ支持物を横から見た断面」と「車軸と垂直に切った断面」と「車軸と平行な位置から見た図」はそれら４つが同じ又はそれら４つがほぼ同じである方向から見たものである。
【００４４】
また、図１の（Ａ）の視点（ａ）と（ｂ）の矢印は、目で見た時の方向を示したものであるが、請求項１などに記載の「車軸と平行又はほぼ平行な方向」は、視点（ａ）の矢印の方向となる。
【００４５】
本発明で記載する「ジョイント」とは「継手」や「連結物」の意味であり、互いに回転できる「滑節」と動かない「剛節」とがある（カナ引き  工業用語辞典  ジャパンマシニスト社  参照）が、本発明の請求項１及び請求項２のジョイントでは「滑節」となる。
【００４６】
図１の（Ｂ）は図１の（Ａ）を車軸と平行な方向から見た図であり、車輪（１）が輪形状であることを示したものであり、この図に記載の（１）の外側の円はタイヤ外周の縁であり、（１）の内側の円はタイヤの内側の縁である。
【００４７】
図１の（Ｃ）は本発明の請求項に記載の分割するタイヤパンク時のタイヤ支持物を図１の（Ｂ）と同じ方向から見たものを部分的に記載した簡略図を示し、（３）と（３ａ）と（３ｂ）は分割するタイヤパンク時のタイヤ支持物又は分割したタイヤパンク時のタイヤ支持部分であり、また、本発明請求項２に記載の「車輪の回転方向に対する前後両端」とは（３ａ）においては（３ａ）の左右にある（３）と（３ｂ）側の方向で、（３ｂ）においては（３ｂ）の左右にある（３ａ）と（３）側の方向であり、本発明の特許請求の範囲や明細書で記載する隣り合うタイヤ支持部分は本図において（３ａ）と（３ｂ）としたが、本発明の請求項における隣り合うタイヤ支持部分の形状や構造や材質の種類を限定したものではない。
【００４８】
図１の（Ｄ）は図１の（Ｃ）の分割をするタイヤパンク時のタイヤ支持物を車軸側からタイヤ支持物外周方向へ見て、図１の（Ｃ）に記載の（３ｂ）をタイヤの外側へ出したものを部分的に記載した簡略図を示し、本図の（３ｂ）を矢印の方向すなわち
車軸と平行な方向又は車軸とほぼ平行な方向へ往復運動させスライドさせることにより（３ａ）付近のタイヤ（１）の内側縁内の空間に移動させるもので、請求項１に記載の「隣り合うタイヤ支持部分同士を車軸と平行な方向又はほぼ平行な方向への移動及び固定用である、・・・、往復運動するスライド用ガイド」によるタイヤ支持部分の動きを図示したものである。
【００４９】
図１の（Ｅ）は図１の（Ｄ）の（３ｂ）をタイヤ（１）の内側縁内の空間に移動した後に車軸と平行な軸により回転運動するタイヤ支持部分（３ｂ）の簡略図一例を示し、タイヤ支持部分（３ｂ）が矢印の方向へ回転運動するとタイヤとホイールリムで囲まれる空間内に（３ｂ）が入り、（３ｂ）の両側にある分割されたタイヤ支持物（３ａ）と分割されたタイヤ支持物（３）の間で連結し固定されるものであり、請求項１に記載の「隣り合う分割したタイヤ支持部分同士の距離を保ちタイヤ支持部分同士の回転運動用の車軸と平行な方向又は車軸とほぼ平行な方向に設置したタイヤ支持部分同士の連結用回転軸」によるタイヤ支持部分の動きを図示したものである。
【００５０】
図２は本発明の請求項１におけるスライド用のガイド一例の簡略図を示し、図２の（Ａ）は円柱形状をしたシャフト（５）が円筒の内側面形状の穴型ガイド（４）を、図２の（Ｂ）は角柱形の柱（５）が角形状の筒の内側面形状の穴型ガイド（４）を、
請求項１に記載の「車軸と平行な又はほぼ平行な方向へ設置可能である柱形状のレール用ガイド及び前述の柱形状のレール用ガイドにはまる形状である連結及びスライド用の穴形状連結部、」と同様にそれぞれ矢印の方向へスライドすることにより往復運動をする筒内側の穴構造とその筒構造をスライドする棒よりなるガイドであり、本発明で使用する往復運動をするガイドは同様の往復運動ができるものであれば、その形状や構造や材質や名称などその種類は限定しない。
【００５１】
図２の（Ｃ）は請求項１の往復運動用のスライドガイド一例の簡略図を示し、（６）は（４）に内包されスライドして往復運動をし（５）の柱状ガイドを内包する筒形状の柱状ガイドであり、（ａ’）はガイドが縮んだ時に（ａ）に内包され固定することにより軸の強度を保つための（６）と（４）の固定用部分である。
【００５２】
図２の（Ｄ）と（Ｅ）と（Ｆ）は請求項１の往復運動用のスライドガイドの簡略図一例で、図２の（Ｅ）は図２の（Ｄ）を上方から見た簡略図一例を示し、タイヤ支持部分（３）に設けられた溝形状のガイド（７）にある穴空間（７’）を、連結用である請求項１に記載の「突起形状連結部」である突起形状スライド部分（８）がスライドするもので、図２の（Ｆ）は図２の（Ｄ）の（８）の下部を図示したものであり、（７）の溝の上部が内部より狭くなり図２の（Ｃ）の（６）と（４）の様に返し形状となり（８）の底部の突起部分が大きくなることにより（８）が（７）から抜け落ちない構造となったもので、請求項１に記載の「車軸と平行な又はほぼ平行な方向へ設置可能である溝形状のレール用ガイド及び前述の溝形状のレール用ガイドにはまる形状である連結及びスライド用の突起形状連結部」と同様の構造物を簡略図で示したものある。
【００５３】
図２の（Ｇ）は本発明の請求項２の連結用アーム一例の簡略図を示したものであり、（９）はタイヤ支持部分（３）に軸で連結し回転運動をすることにより、分割され隣り合うタイヤパンク時のタイヤ支持部分同士を連結固定するアームであり、（９’）はアーム（９）における請求項２に記載の「車輪の回転方向に対する前後両端」に設けられた請求項１の回転軸である。
【００５４】
タイヤパンク時のタイヤ支持物構成部分同士を連結固定するアームは、直線や曲線形状の柱形状又はプレート形状のものや、穴の開いた格子形状となったものや、中空状になったものや、また、請求項１の回転軸やスライド用ガイドを車輪の回転方向に対する前後両端に設けたアームを複数連結したものなど、本発明の条件を満たすものであればそれらの種類は限定しない。
【００５５】
図３は本発明の請求項１と請求項２のタイヤ支持物の簡略図一例を示し、図３の（Ａ）の（３）はタイヤ支持部分であり、請求項２に記載したものと同様の連結用アーム（９）は請求項１又は請求項２に記載の「タイヤ支持部分に連結した車軸と平行な方向又はほぼ平行な方向に回転運動を行う回転軸」により連結用アーム同士を連結し車軸と同じ方向で回転運動をする軸（１０）で連結、及び（３）に設けた（７）に連結して請求項１の条件の方向へスライドする連結部（８）に連結する車軸と同じ方向へ回転運動をすることが可能である回転軸（１０）とを連結し、（１１）は隣に連結して設置する分割されたもう一方のタイヤパンク時のタイヤ支持部分にある連結用アームとの連結用の回転軸（１０）を連結固定するための回転軸用の穴であり、タイヤ支持物の形状は本発明の条件を満たすものであれば、その種類は限定しない。
【００５６】
図３の（Ｂ）は図３の（Ａ）を車軸側から見た簡略図であり、（８）と（８）に連結する（９）は矢印の方向へ請求項１に記載の溝形状のレール型ガイドに沿って移動し隣の（３）をスライドさせることにより、互いに隣の（３）同士を重ならないようタイヤの円周の内側方向へ回転運動させることができる構造を有したものである。
【００５７】
図３の（Ｃ）は図３の（Ｂ）の（８）と（９）を請求項１の条件でスライドした図であり、同様の形状のものを連続して連結することで請求項１及び請求項２よりなるタイヤパンク時のタイヤ支持物の輪を構成するものである。
【００５８】
図３の（Ｄ）は図３の（Ａ）のタイヤ支持部分と異なり左右の外側方向へ（８）のスライド軸を移動させるガイドを（３）の中央付近に設置したものである。
【００５９】
図３の（Ｅ）は図３の（Ｄ）を車軸側から見た簡略図であり、（９）及び（８）が外側方向へスライドするものであるが、本発明の条件を満たすものであれば、スライドのための装置の形状や構造などその種類は限定しない。
【００６０】
図３の（Ｆ）は隣り合う別々のタイヤ支持部分における請求項２に記載の連結用アームを連結させた簡略図一例を示し、図３の（Ｄ）のプレート形状の連結用アーム（９）が請求項２に記載の「車輪の回転方向に対する前後両端」の一方に位置する回転軸（１０）によりタイヤ支持部分へそれぞれ連結し、また、隣り合うタイヤ支持部分が連結用アーム（９）間にある請求項２に記載の「車輪の回転方向に対する前後両端」のもう一方に位置する回転軸（１０’）によってそれぞれ連結したものである。
【００６１】
本発明の請求項１や請求項２における回転軸たスライド用ガイドの種類は同じものであり、また、本発明の請求項１や請求項２におけるタイヤ支持部分同士を連結するアーム（９）や軸（１０）や軸（１０’）の個数（アームが片側のタイヤ支持部分で２個以上ある個数のものが軸により連結したものなど）や形状や構造や材質など、本発明の条件を満たすものであれば、それらの種類は限定しない。
【００６２】
図３の（Ａ）ではタイヤ支持部分（３）における他のタイヤ支持部分（３）との接合面が曲線形状の面であるが、タイヤ支持部分（３）における隣のタイヤ支持部分（３）との接合面が直線形状の面となったものであっても、接合面の形状は本発明の条件を満たすものであれば、その種類は限定しない。
【００６３】
図４は本発明で使用可能なストッパーが車軸と平行又はほぼ平行に移動するタイヤ支持物部分の簡略図一例を示し、（Ａ）は連結用アーム（１３）に設けられた穴（１３’）の中をスライドして移動する突起（１４）により連結用アーム（１２）が連結されるところを図示したもの、（Ｂ）は連結用アーム（１２）の両側に設けられた穴（１２’）の中をスライドして移動する突起（１４）により連結用アーム（１３）が連結される車軸と平行な方向又は車軸とほぼ平行な方向へスライドする構造である、プレート又は突起よりなる固定用ストッパーを図示したものであり、本発明の条件を満たす効果を有した構造のものであれば、その種類は限定しない。
【００６４】
図５は本発明で使用可能な連結固定用装置の簡略図１例であり、（Ａ）は連結固定部（１５）と連結固定部（１５’）が引っかかることによりタイヤ支持物を連結固定するための連結装置で（１５）は作動用の取っ手（１５’’’）を矢印の方向へスライドさせるとスプリング（１６）を構成に持つ可動部（１５’’）を押すことによりタイヤ支持物の着脱を行うものの図で、（Ｂ）は（１５’’’）を矢印の方向へスライドさせることによりスプリング（１６）を構成に持つ（１５’’）を押し広げ別の固定部（１５）を固定するストッパー部も矢印方向へ押し広げる連結装置部分の図である。
【００６５】
図６は本発明で使用可能であるタイヤパンク時のタイヤ支持物一例の簡略図を示し、（Ａ）はタイヤ支持物同士が矢印の方向へ往復運動をすることによって互いの装着が行える機構の簡略図一例を示し、タイヤ支持物が往復運動することによりタイヤ支持部分（３）に設けられた固定式の突起の着脱用の「穴又は溝」すなわち着脱用の空間（１８）と隣のタイヤ支持部分（３）に設けられた「タイヤ支持部分に直接設置するタイヤ支持部分同士の連結用の突起」すなわち着脱用の突起（１７）が連結をし、（１８）に設けられバネの力で突出したり押されることにより引っ込む突起（１９）と、（１９）を挿入し固定する溝をタイヤ支持物の着脱用突起（１７）に設けたものの例である。
【００６６】
図６の（Ｂ）は図６の（Ａ）の（１８）側の（３）の断面図を示し、隣のタイヤ支持物の固定用の溝を有した着脱用突起（１７）を挿入し固定することが可能な強度を持つバネの力により往復運動をする突起（１９）を有した、固定用の溝がある突起形状の着脱用装置（１７）を接合するタイヤ支持物（３）を図示したものである。
【００６７】
図６の（Ｃ）は図６の（Ａ）の（１７）側の（３）の断面図を示し、隣のタイヤ支持物の突起を固定することが可能な強度を持つ溝を（１７）の着脱用突起に有したタイヤ支持物（３）である。
【００６８】
図６の（Ｄ）は請求項１の柱形状の往復運動用スライド軸断面一例の簡略図であり、（８）はガイドとタイヤ支持物の固定用の連結部分であり、筒形状ガイド（２１）と筒形状ガイド（２２）は先端に返しのついた形状により外れない様になっており、返しがないものでは請求項４のガイドとなる。
【００６９】
また、図６の（Ｄ）において、円柱形状の棒（２０）が（２１）の内部に設けられており、ガイドが縮んだ時に（２２）の内部に（２０）が入っていき、軸の強度が増す構造のものである。
【００７０】
図６の（Ｅ）は本発明のタイヤパンク時のタイヤ支持物の車軸側を車軸側から車輪の外周方向に見た簡略図一例を示し、（２３）の本発明の請求項１の往復運動をして伸縮をする棒状ガイドに、タイヤ支持物（３）に固定された連結部（８’）と、タイヤ支持物に設けられた本発明の請求項１に記載の「車軸と平行な又はほぼ平行な方向へ設置可能である溝形状のレール用ガイド」に連結する「溝形状のレール用ガイドにはまる形状である連結及びスライド用の突起形状連結部」の可動及び固定用の連結部（８）が連結され、請求項１に「車軸と平行な又はほぼ平行な方向へ設置可能である柱形状のレール用ガイド及び前述の柱形状のレール用ガイドにはまる形状である連結及びスライド用の穴形状連結部」と記載の機構と同様の円柱形状をした回転運動を行うガイド（２３）に接合する（８）と（８’）により隣り合うタイヤ支持部分が連結されたものを示したものである。
【００７１】
図６の（Ｆ）は図６の（Ｅ）の一つのタイヤ支持物をタイヤ外周から斜め方向に見た簡略図一例を示し、（３）が複数個連結することにより、輪形状になるものである。
【００７２】
図６の（Ｇ）は図６の（Ｅ）の並んだ二つのタイヤ支持物を図６の（Ｅ）と同じ方向から見た図を示し、（８）は（３）に設けられたガイド（７’）を請求項１の条件と同じ方向に移動し（８）と（８’）の間にある（２３）の棒状ガイドも伸びることにより並んだ（３）が互いに重ならず請求項１に「隣り合う分割したタイヤ支持部分同士の距離を保ちタイヤ支持部分同士の回転運動用である車軸と平行な方向又は車軸とほぼ平行な方向に設置した軸、よりなるタイヤ支持部分同士の連結用回転軸」と記載の車軸と平行な方向での回転運動をすることができる回転軸を図示したものである。
【００７３】
図６の（Ｈ）は本発明で使用することができるガイド断面一例の簡略図を示し、両側の（７）の請求項１の溝タイプのレール型ガイドの間の返し構造により（８）の連結部が固定できるように存在し、（８）には（２３）と同じ働きをするガイド（２３’）が設置されたものを図示したものである。
【００７４】
図６の（Ｉ）はタイヤパンク時のタイヤ支持物固定用であるタイヤ支持部分間のスライド留め一例の簡略図を示し、（３）が互いに近づく方へスライドした時に（３）に設けられた（２５）の穴状の空間内に、もう一方の（３）に設けられた通常はバネによって突起が押し出された状態で（２５）が設置された対向する（３）が近づくと対向する（３）の側面により押し下げられ（２５）付近に来るとまた押し出される突起を有したストッパー機構の簡略図を示したものである。
【００７５】
図７は本発明で使用可能であるタイヤパンク時のタイヤ支持物一例の簡略図を示し、図７の（Ａ）はタイヤパンク時のタイヤ支持部分（３）の内部でタイヤ支持物の変形を抑制するプレート一例を示したものであり、プレート（２６）の内側に穴を開け軽量化したものに、請求項１の柱形状のスライド用レールガイド（２７）及び請求項１の溝形状のレールガイド（７’）を有した構造のものである。
【００７６】
図７の（Ｂ）は図７の（Ａ）を横から見た簡略図であり、タイヤ支持部分（３）の形状に合わせて、（２６）が湾曲した曲線形状になったものである。
【００７７】
図７の（Ｃ）は（２６）の中央付近に（８）用のガイド（７’）を有したものであり、図３の（Ｄ）などで使用できる形状のものである。
【００７８】
図７の（Ｄ）は図７の（Ｃ）で使用することができる（８）の一例を示したものであり、（２６）に連結する、左側のガイドとの連結部分（８Ｌ）と右側のガイドとの連結部分（８Ｒ）は互いを貫通するボルトで固定するための穴（２８）を有したものを図示したものである。
【００７９】
図７の（Ｅ）は図７の（Ｄ）を下から見たものでり、（８Ｌ）と（８Ｒ）がボルト（２９）を互いに貫通させ止めナット（３０）と本ナット（３１）よりなるチェックナットで固定されたものを図示したものである。
【００８０】
図７の（Ｆ）は本発明で使用することができるタイヤパンク時のタイヤ支持物一例の簡略図を示し、プレート（２６）は車軸側からタイヤの外周への方向への移動用ガイド（７’）を有し、タイヤ外周方向から車軸側へ貫通するプレート固定用ボルト（３２）を有したものを図示したものである。
【００８１】
図７の（Ｇ）は図７の（Ｆ）にはめ込むためのプレート一例の簡略図を示し、プレート（３３）に設けられた（３５）は図７の（Ｆ）の（７’）にはめ込まれ移動する連結部であり、（３４）のプレートを上下に貫通する穴によって図７の（Ｆ）の（３２）を貫通させナットにより固定されるものを図示したものである。
【００８２】
図７の（Ｈ）は図７の（Ｇ）を上から見たものの図であり、（８）用のガイド（３６）及び（３２）の移動ができる穴（３４）を示したものである。
【００８３】
図７の（Ｉ）は本発明のタイヤパンク時のタイヤ支持部分を車軸側から見たものの一例の簡略図を示し、タイヤ支持部分の車軸側の面における車軸側に盛り上がった部分（３ｈ）と、プレートを固定するために盛り上がった突起（３７）及びボルト（３８）と、請求項１の溝タイプのレールガイド（７’）を有したものを図示したものである。
【００８４】
図７の（Ｊ）は図７の（Ｉ）の（３７）と（３８）を横から見たものにワッシャーとナットを装着したものの簡略図一例を示し、ボルト（３８）にチェックナット（３０）と（３１）とワッシャー（３９）を図示したものである。
【００８５】
図７の（Ｋ）は図７の（Ｉ）へ（８）によって装着するプレート簡略図一例を示し、（３７）を貫通させるためにプレート（３３）を上下に貫通する穴（３４）を有し、回転軸（１０）をアーム側とタイヤ支持物側に構成したプレートを示したものであり、本発明の条件を満たすものであればそれらの構造や形状や材質などの種類は限定しない。
【００８６】
よって、分割したタイヤ支持部分同士を連結するジョイントは、「滑節」や「剛節」などを複合したものであってもよく、請求項１の「滑節」の条件を満たすものであればそれらの種類を限定しない。
【００８７】
図８は本発明で使用可能なタイヤ支持物の連結装置の固定部の簡略図一例であり、（Ａ）は固定部の上視図で（４１’）は作動用の取っ手（４０）のスライド用にタイヤ支持物（４１）に設けた溝で、（４０’）はボルトを貫通させるため（４０）に設けた穴であり、（Ｂ）は（Ａ）の固定部付近の断面図で（４０）のスライド後に（４１）と（４０）を固定するためのボルト（４２）を（４１）に設けたネジの切った穴（４１’’）と（４０’）を貫通させ挿入し固定する構造を示した図である。
【００８８】
また、図８の（Ｃ）は本発明で使用可能なタイヤ支持部分と連結用部分の固定方法一例の簡略図を示し、（４５）はタイヤ支持部分（４３）の内部をスライドし移動できるストッパーで、（４５）は連結用アーム（４６）に設けられた穴を貫通して（４６）も固定するストッパーであり、（４５）のスライドを防止し固定するためのブロック（４４）がボルト（４２）によって固定されることにより、タイヤ支持部分と連結用部分の着脱を行うものである。
【００８９】
本発明で使用する固定用機構は、図４の様に連結用アームに構成しても、図８の（Ｃ）の様にタイヤ支持部分に構成してもよく、本発明の条件を満たすものであればその種類は限定しない。
【００９０】
図９は本発明で使用可能であるタイヤ支持物のストッパー機構一例の簡略図を示し、（Ａ）はタイヤ支持部分（３）において、片側のタイヤ支持部分（３）に設けた連結用ストッパー（４７）ともう一方に（４７）を挿入し固定するタイヤ支持部分（３）に設けた穴（４８）を構成したものを示し、請求項１の回転運動及びスライド運動をする回転軸（４８）が回転運動をすることにより、一方のタイヤ支持部分（３）に構成された連結用ストッパー（４７）がもう一方のタイヤ支持部分（３）に構成された固定用の穴（４８）に回転運動をしながらスライドして挿入されタイヤ支持部分が複数個連結され輪形状に連結した後内側にホイールリムを挿入することで、個々のタイヤ支持部分にある請求項１の働きをする軸（４９）に対する回転軸方向への動きが抑制され（４７）と（４８）が引っかかり固定されるものである。
【００９１】
本明細書の図９に本明細書の図４や図５や図８のストッパー機構や他の形状のストッパー機構を組み合わせて構成してもよく、本発明の請求項の条件を満たすものであればそれらの種類は限定しない。
【００９２】
図９の（Ｂ）は本発明で使用可能であるストッパー機構一例の簡略図を示し、タイヤ支持物（３）に設けられたストッパー用の突起（４７）が、本発明の請求項１と請求項２の回転運動及びスライド運動をする回転軸を両端に有する連結用アーム（５０）を有したものである。
【００９３】
図９の（Ｃ）は図９の（Ｂ）の（５０）を車軸側からタイヤ外周方向へ見た簡略図を示し、連結用アーム（５０）が（４７）を挿入して固定する穴（５０’）を有したものである。
【００９４】
図９の（Ｄ）は本発明で使用可能であるタイヤ支持物のストッパー機構一例の簡略図を示し、一方のタイヤ支持物に設けたストッパー用の突起（４７）がもう一方のタイヤ支持物に連結した請求項２の連結用アーム（５０）に設けられた穴（５０’）に挿入され固定するストッパー機構を示したものである。
【００９５】
図９の（Ｅ）は図９の（Ｄ）をタイヤの外周側から車軸側の方向へ見た簡略図一例を示し、タイヤ支持物の両端が高くなり中央部分が低くなったタイヤ支持物（３）において、一方のタイヤ支持物（３）に構成された突起（４７）が、もう一方のタイヤ支持物（３）に構成された突起（４７）を通過させるための溝（４８’）をタイヤ外周方向からタイヤの車軸方向へ通過して連結用アーム（５０）に構成された固定用の穴（５０’）に連結するものである。
【００９６】
図９の（Ｆ）と（Ｇ）は図９の（Ｄ）の連結用アーム（４７）の先端がボルト形状になったもの一例の簡略図を示し、（４７）の先端に設けられたねじの切ったボルト形状部分（２９’）に止めナット（３０）と本ナット（３１）よりなるチェックナットを固定したものである。
【００９７】
図９の（Ｈ）は本発明で使用可能なタイヤ支持物連結部分の簡略図一例を示し、
両側の連結用アーム（５０）が複数の連結用プレート部分（５１）と（５２）により連結するために、（５１）と（５２）を貫通して連結し回転運動が可能なための軸（５３）によりタイヤ支持物同士を連結するものである。
【００９８】
図９の（３）や（５１）や（５２）や（５３）の構成するそれぞれの数や構成場所など本発明の条件を満たすタイヤ支持物であればよく、その種類は限定しない。
【００９９】
図５などに記載した着脱及び固定用機構は、分割したそれぞれのタイヤ支持物同士が対向した面に構成するなど、タイヤ支持物同士の着脱ができるものであればその種類は限定しない。
【０１００】
上記は本発明の請求項の説明のために記載したものであり、形状や材質や構造を限定するためのものではなく、本発明の条件を満たすものであればその種類は限定しない。
【実施例】
【０１０１】
以下、本発明の実施例を図１０〜図２３に基づいて説明する。
【０１０２】
図１０は本発明のタイヤ支持物部分の簡略図一例を示し、（Ａ）〜（Ｆ）はタイヤ支持物を車軸と垂直な方向から見たタイヤ支持物の片側部分を車軸と平行に切った断面で、（Ｇ）と（Ｈ）はタイヤ支持物を車軸と垂直な方向から見た断面で、（Ｉ）と（Ｊ）は車軸と平行な方向からタイヤ支持物部分を見た図で、（Ａ）〜（Ｊ）の図の上側がタイヤ内面との接地部分であり、下側が車軸側でありホイールリムと接地する部分である。
【０１０３】
図１０の（Ａ）はタイヤとの接地部分より下の部分が削られたもの、（Ｂ）は（Ａ）のタイヤとの接地部分を支える部分が片側に移動したもの、（Ｃ）はタイヤ内面のサイド壁側が曲面となりタイヤに沿って支持することができる形状になったもので、（Ｄ）は（Ｃ）を中空状にしたもので、（Ｅ）は両側からタイヤとの接地部分を支える形状のもので、（Ｆ）は（Ａ）に支えがついたものであり、この支えは両サイドに設けられたり交互にずらして設けたり支えの形状や支える範囲を変更するなどしてもよく、タイヤとの接地部分やその接地部分を支える部分の形状は様々であり、その種類は本発明の条件を満たすものであれば限定しない。
【０１０４】
図１０の（Ｇ）と（Ｈ）はタイヤとの接地面が３分の２未満のものとタイヤ支持部分が中空状になったものの例であり、それらの形状やタイヤ支持物の構成物の接地間隔や個数や、タイヤ支持物が波形になる等の形状の種類は本発明の条件を満たすものであればその種類は限定しない。
【０１０５】
また、図１０の（Ｈ）はタイヤの横を厚くしてパンク時の車輪を支えるタイプのランフラットタイヤと同様のものを並べたものの例である。
【０１０６】
図１０の（Ｉ）と（Ｊ）はタイヤ支持部分に穴を空けたものの例であるが、穴の形状や個数などタイヤ支持物としての強度や本発明の条件を満たすものであればその種類は限定しない。
【０１０７】
図１０の（Ｉ）と（Ｊ）は本発明で使用可能な円周を分割するタイプのタイヤ支持物で、タイヤ支持物を軽量化するための空洞を有することによってブリッジ形状を有したタイヤ支持物構成部である。
【０１０８】
本発明のタイヤ支持物はタイヤとの接地部分をゴムやシリコンや発泡材料等の高分子化合物などで作り、その接地部分の支持部分を中空状でリサイクル可能な中空状の金属、又はカーボン素材等で作るなど、その構造の種類は本発明の条件を満たすものであれば限定しない。
【０１０９】
また、タイヤ支持物同士の固定を一方のタイヤ支持物と他方のタイヤ支持物の接合部分をボルトで固定したり、上記図８などの機構を持った着脱用機構により固定したり、本発明等の軸による回転運動でタイヤ支持物同士をはめ込むことによって固定し、タイヤ支持物の輪形状を形成するなど様々なものが考えられる。
【０１１０】
本発明の請求項のものはタイヤの空気圧センサーやタイヤ支持物のホイール側の面からタイヤ側の面への空気を移動させるための気体通過用溝や穴などの通路構造など本発明の請求項に限らず複合することが可能であり、その種類は限定しない。
【０１１１】
図１１は本発明で使用可能なタイヤ支持物構造部分の簡略図一例を示し、図１１の（Ａ）は請求項４の連結用アームに回転運動が可能な連結用の軸を有したものである。
【０１１２】
図１１の（Ｂ）は図１１の（Ａ）に連結するための穴を有した請求項４の連結用アームであり、図１１の（Ａ）と（Ｂ）の連結時に（Ａ）と（Ｂ）の接触面が平らになっているためにタイヤ支持物同士を回転運動させても、タイヤ支持物が軸の回転方向以外の方向に傾きにくく抑制でき安定した回転運動をすることが可能である。
【０１１３】
また、本発明の隣あうジョイントをつなぐための連結用アーム同士の軸及び軸を挿入する穴又は溝の形状は、図１１の（Ａ）及び（Ｂ）では円柱状となっているが、接合部分が多角柱等の形状をした軸や穴や溝の回転しない形状のものであっても、その連結用アームと連結用アームが属するタイヤ支持部分が回転運動をするものであれば、タイヤ支持部分自体の回転が行え、それらの種類は本発明の請求項の条件を満たすものであれば限定しない。
【０１１４】
図１１の（Ｃ）はタイヤ支持物同士の接合面を直線的にした簡略図一例であるが、タイヤ支持物同士の向かい合う面や接合面は、直面形状であっても、曲面状であっても、凹凸状であっても、またそれらを複合したものであっても、それらの形状や構造は本発明の請求項の条件を満たすものであれば、それらの種類は限定しない。
【０１１５】
図１１の（Ｄ）はタイヤ支持物のストッパー部分として使用可能である凹構造の簡略図一例を示し、この凹構造と反対形状の凸構造のタイヤ支持物を引っかけることによりタイヤ支持物の固定ができるものであるが、図１１の（Ｃ）と同様に本発明の請求項の条件を満たすものであればその種類は限定しない。
【０１１６】
図１１の（Ｅ）は図１１の（Ｄ）に小さなくぼみを設けた簡略図一例であり、その小さなくぼみに図５のようなスイッチ式のストッパーを引っかけることによってタイヤ支持物の固定を行えるようにしたものである。
【０１１７】
図１１の（Ｆ）は図１１の（Ｅ）のくぼみが小さな突起になったものの簡略図一例であり、図５のスイッチ式のストッパーを突起に引っかけることによりタイヤ支持物の固定を行えるようにしたものである。
【０１１８】
図１１の（Ｄ）や（Ｅ）や（Ｆ）などタイヤ支持物やタイヤ支持物の固定用装置は、タイヤ支持物の固定が任意に行われるものであればよく、それらの形状や構造や材質の種類は限定しない。
【０１１９】
図１１の（Ｇ）と（Ｈ）と（Ｉ）は本発明で使用可能である固定用スイッチの可動部分簡略図一例の図であり、（Ｇ）は矢印の方向へスイッチをスライドさせることで固定用機構を作動させるタイプのもので、（Ｈ）はスイッチを回転させ回すことで固定用機構を作動させるタイプのものであり、（Ｉ）は取っ手を引くことにより固定用機構を作動させるタイプのものでまた取ってのつけ根付近に設けた軸により取って自体を倒すことが可能であるスイッチ部分であり、図１１の（Ｇ）や（Ｈ）や（Ｉ）はタイヤ支持物等を固定するための機能を果たすことができるものであれば、それらの形状や構造や材質の種類は限定しない。
【０１２０】
図１２は本発明で使用可能なタイヤ支持物構造の簡略図一例を示し、（Ａ）の（５１）と（５２）はタイヤ支持物に構成する穴（５１’）と穴（５２’）が開いた連結用フックで、（Ａ）の（５３）は（５１）と（５２）を貫通して連結し回転運動が可能なための軸でタイヤ支持物同士が連結されることにより、タイヤ支持物部分が回転をすることができる機構であり、（Ｂ）はタイヤ支持物を車軸と垂直に切った断面で個々のタイヤ支持物（３）に設けた（５１）と（５２）が（５３）により連結され固定された図を示し、（Ｃ）は図１２の（Ｂ）の（５１）と（５２）付近を車軸と垂直な位置の車軸側から見た図であり複数の（５１）と（５２）を貫通し固定された（５３）の軸を示したものである。
【０１２１】
図１２の（３）や（５１）や（５２）や（５３）の構成するそれぞれの数や構成場所など本発明の条件を満たすタイヤ支持物であればよく、その種類は限定しない。
【０１２２】
図１３は本発明で使用可能であるタイヤ支持物の断面簡略図一例を示し、（Ａ）は車軸と平行に切った断面図、（Ｂ）は本発明のタイヤ支持物の分割部分の線を省略し車軸と垂直に切り簡略化した断面図、（Ｃ）は分割したタイヤ支持物構成部分を車軸と垂直に切った断面図、（Ｄ）はタイヤ支持物を車軸と平行に切った断面図を示し、（５４）はホイールリム付近とのつっかい用の構造物で、（５５）は一つのタイヤ支持物ブロック内にあるワイヤーで、（５６）はタイヤ支持物の円周内部に存在するカーカスの輪であり、（５６’）は一つのタイヤ支持物（３’）のブロック内の外周円部分に構成されるカーカスの輪であり、点線（Ｘａ）は図１３の（Ａ）の断面が存在する部分である。
【０１２３】
図１３の（Ｃ）は車軸と平行な位置から見た分割したタイヤ支持物の簡略図であり、カーカス等と類似の働きをする（５６’’）がタイヤ支持物パーツ単体の車軸と垂直な方向において輪形状に存在したもので、図１３の（Ｄ）は車軸と垂直な位置から見た分割したタイヤ支持物の簡略図であり、カーカス等と類似の働きをする（５６’’）がタイヤ支持物パーツ単体の車軸と平行な方向において輪形状に存在したものであり、（５６’’）は（Ｃ）や（Ｄ）が単体で存在するものであっても、（Ｃ）と（Ｄ）を複合したものであっても、（５６’’）が（Ｃ）又は（Ｄ）に対して斜め方向に存在したものや斜め方向の（Ｄ）が単方向で存在するものや、（５６’’）を使用しないものなど様々であり、その種類は限定しない。
【０１２４】
図１４の（Ａ）は本発明の請求項６の車輪の簡略図の一例を示したものであり、（５７）はタイヤ支持部分（５８）を有するホイールリムのタイヤ支持部で、（５７’）は（５７）と連結するホイールリム部分であり、（５７’）と（５７）が連結することにより（５９）の凹凸の段差を形成し、ホイールリムの（５９）付近で本発明のタイヤ支持物の左右円周を挟んで固定することにより単純な形状の段差でつっかい用構造物を左右にずれないよう固定できる。
【０１２５】
図１４の（５９）の形状は、ホイールリムとタイヤ支持物の接合部分は車軸に対して垂直で平らな円周形状であるが、ホイールリムとタイヤ支持物は互いにかみ合うよう車軸に対して斜めに傾いたくさび形であったり、円周面が直線又は曲線の凹凸で形成したり、ホイールのタイヤ支持物支持部分をホイール同士のつなぎ目より内側又は外側に構成したものなど（５９）の形状や構成部分は本発明のものであればその種類は限定しない。
【０１２６】
図１４の（Ｂ）は、タイヤの空気漏れ防止用のパッキンを挟むことが可能である構造を有した図１４の（Ａ）の請求項６の構造（タイヤ支持物に接する部分の径がパッキン部分の径よりも大きい構造）を有するパッキン（６０）をホイール（５７，５７’）に装着した簡略図であり、本発明の本発明のタイヤ支持物又は本発明のホイールに、パッキン、シール、シート、フィルム、リング等名称によらずパッキンの働きをする物質を使用したり、本発明のホイールに特願２００９−２４１９１５などの構造や構造物を構成とするなど、その種類は限定しない。
【０１２７】
上記の例は本発明の説明のため記述したものであり、本発明の請求項によるものであれば、その形状、材質、構造などの形態の種類を完全に限定するものではない。
【０１２８】
図１５の（Ａ）は本発明で使用可能であるストッパー機構一例の簡略図を示し、請求項２又は請求項２と同様の矢印の方向の車軸から車輪外周方向へ回転運動するプレートよりなる固定用アーム（６１）を、タイヤ支持部分（３）に設けた請求項３又はアームの挿入用空間に挿入しアームの固定用ストッパー（６２）が矢印の方向へ回転運動することによる開閉によりアーム（６１）を固定し、固定用ストッパー（６２）に設けられた突起を内部へ挿入する固定用ガイド（６３）で（６２）を固定しストッパーの働きをするものである。
【０１２９】
図１５の（Ｂ）は本発明で使用可能であるストッパー機構一例の簡略図を示し、請求項２又は請求項２と同様の矢印の方向の車軸から車輪外周方向へ回転運動するプレートよりなる固定用アーム（６１）を、タイヤ支持部分（３）に設けた請求項３又はアームの挿入用空間に挿入しアームの固定用ストッパー（６２’）が矢印の車輪の円周方向へスライドすることによる開閉によりアーム（６１）を固定し、固定用ストッパー（６２’）がタイヤ支持部分（３）に設けられたスライド用ガイド（６３’）に連結されスライドし本発明の連結用アーム構成部（６１）を固定しストッパーの働きをするものである。
【０１３０】
図１５の（Ｃ）はタイヤ支持物同士が請求項１の回転軸を有することにより矢印の方向へ回転運動をすることによって互いの着脱が行える機構の簡略図一例を示し、回転軸によりタイヤ支持物（３）が回転運動することにより請求項１のタイヤ支持部分（３）に設けられた突起形状の着脱用突起装置（６５）と隣のタイヤ支持部分（３）に設けられた（６５）の請求項３の着脱用空間（６６）が連結をし、（６５）の内部に設けられバネの力で突出したり押されることにより引っ込む突起（６５’）と、（６６）に設けられ（６５’）を挿入し固定する溝（６６’）をタイヤ支持部分（３）に設置することにより、着脱用装置として設けたものの例である。
【０１３１】
図１５の（Ｄ）は図１５の（Ｃ）の（６６）側の（３）の断面図を示し、（３）は（３’’）の中空状の空間を有し、隣のタイヤ支持物の突起を固定することが可能な強度を持つ溝（６６’）を有した構造体（６７）である。
【０１３２】
図１５の（Ｅ）は図１５の（Ｃ）の（６５）側の（３）の断面図を示し、（３）は（３’’）の中空状の空間を有し、隣のタイヤ支持物の固定用の溝を有した空間に挿入し固定することが可能な強度を持つバネの力により往復運動をする突起（６５’）を有した突起形状の着脱用装置（６５）を接合する構造体（６７）を図示したものである。
【０１３３】
図１６の（Ａ）は請求項４の分割したタイヤ支持部分同士の着脱用機構の簡略図一例を示し、図１６の（６８）は図１１の（Ａ）の回転用軸がテーパー形状になった請求項４の車軸と平行又はほぼ平行な方向へスライドをする連結用の軸又は突起を有した連結用部分であり、図１６の（６９）は図１１の（Ｂ）の穴がテーパー形状になった請求項４の連結用の軸又は突起を内包又は貫通させ車軸と平行又はほぼ平行な方向へスライドさせることが可能である穴又は溝を有した連結用部分である。
【０１３４】
図１６の（Ｂ）は図１６の（Ａ）の（６８）に車軸側から車輪外周側方向へ回転運動する連結用ストッパー（７０）を有したものであり、（７０）は固定用の穴（７０’）を有し回転軸（７１）で連結し回転する固定用の連結部分である。
【０１３５】
また、図１６の（Ｂ）の（７２）は（６９）と連結をした後固定するためのナット部分であるが、それらの形状や構造や材質の種類は様々であり、本発明の条件を満たすものであればその種類は限定しない。
【０１３６】
図１６の（Ｃ）は請求項４の連結用軸の遠位端に連結用ストッパーを構成としたものの簡略図一例を示し、連結用アーム（６８）に設けられる先端が円筒状となった回転用軸（６８’）、軸（７１）を中心に回転運動をする固定用ストッパー（７０）により、連結用の軸（６８’）に着脱するための穴を有した隣に設置するタイヤ支持部分に連結したアームの固定を（６８）と（７０）で示す両側から行うタイプの連結用アームである。
【０１３７】
図１６の（Ｄ）は固定用で図１６の（Ｃ）記載の連結用アーム（７０）を横から見た図であり、アーム（７０）は回転軸（７１）により矢印の方向へ回転運動し、また図の上下方向に貫通するアーム（７０）に本発明に含まれる固定用とめ具通過用の穴（７０’’）を有したものである。
【０１３８】
本発明で使用する回転軸の固定方法は、軸の先端に固定物を着脱するものや、連結用アームやタイヤ支持物に設けた固定用構造により固定するものであってもよくその種類は限定しない限定しない。
【０１３９】
ここで、本発明の回転軸とは運動の中心（広辞苑参照）すなわち回転運動をさせることができる中心となる構造物を示したものであり、回転軸はタイヤ支持部分や連結用アームなどにそれぞれ設けることができ、その種類は限定しない。
【０１４０】
図１７の（Ａ）は本発明のタイヤ支持物で使用可能であるタイヤ支持部分の連結用構造の簡略図一例を示し、（７３）及び（７３’）は別々のブロックになるタイヤ支持部分のそれぞれの両端に連結する回転軸部分を有したアーム部分であり、（７３）は（７３’）のアームを内部でスライドさせ（７３）が飛び出さない様ストッパーの突起を有した筒状アームであり、タイヤ支持部分の距離を一定以上離さずに一定以上タイヤ支持部分の円周が大きくなることを防げ回転運動によりタイヤ支持部分のブロック同士を近づけることができるアーム状連結装置である。
【０１４１】
図１７の（Ｂ）は本発明のタイヤ支持物で使用可能であるタイヤ支持物の簡略図一例を示し、（７４）及び（７４）は別々のブロックになるタイヤ支持部分のそれぞれの両端に連結する回転軸部分を有したアーム部分であり、（７４）と（７４）は回転軸（７５）で連結され、着脱時のタイヤ支持部分同士の距離を変えずアームの連結形状をタイヤ支持物の円周方向へ凹ませることが可能になる連結用アーム部分を示したものである。
【０１４２】
図１７の別々のタイヤ支持部分へ回転軸で連結される連結用アームは本発明の条件を満たすものであればワイヤーやシート状やチェーン状のものなどでもよく、構造や材質など本発明の請求項の条件を満たすものであればそれらの種類は限定しない。
【０１４３】
図１８の（Ａ）は本発明で使用可能なタイヤ支持部分を車軸と垂直な方向から見た簡略図一例を示し、アームが回転運動することによりタイヤ支持部分（３）とタイヤ支持部分（３）が矢印の方向へ近づき一部分が重なり合うものの例であり、タイヤ支持部分に着脱用装置を設けたり、タイヤ支持部分が複雑に構成した面により連結するものなど、本発明の条件を満たすものであれば、その種類は限定しない。
【０１４４】
図１８の（Ｂ）は本発明で使用可能な車軸と垂直な方向から見たタイヤ支持部分断面の簡略図一例を示し、タイヤパンク時のタイヤ支持部分（３）に設ける、タイヤ外周縁付近に位置するタイヤ支持部分の左右の距離を保つつっかい用構造物（７６）と、ホイールリム間においてタイヤ支持部分のホイールリム付近の左右面を支えるつっかい用構造物（７６’）である。
【０１４５】
図１９は本発明で使用が可能である構造部分一例の簡略図を示し、図１９の（Ａ）は図７の（Ｆ）で使用可能なとめ具で、図１９の（Ｂ）は図１９の（Ａ）に対して垂直な方向から見たものであり、（７７）は（２６）と同様のプレートに構成されたボルト止めの役目をする突起部分で、（３２）はボルトであり、六角形のボルトがプレートに構成された突起の内側にある六角形の溝により固定されることでボルトが回転しにくいようにした構造部分である。
【０１４６】
ボルトやプレートは接着されたり溶接されたものや、他のボルトやボルトの回転を抑制する構造のものを形成するなどそれらの種類は限定しない。
【０１４７】
図１９の（Ｃ）は図７の（Ｉ）などで使用可能なとめ具で、図１９の（Ｄ）は図１９の（Ｃ）付近を上から見たものであり、（７８）は（８）のスライド用連結部と同じ働きをするスライド用連結部であり、（７８’）は（７８）に設けた（７９）の可動式で矢印の方向へスライドするストッパーと連動して矢印の方向へ回転運動するストッパー用のスイッチであり、（８０）は図７の（Ｉ）の（３）付近の（７’）と同様にスライド用連結部をスライドさせるためのガイドである。
【０１４８】
図１９の（Ｅ）は（７８）のスライド用連結部などへ連結し図２の（Ａ）や（Ｂ）や（Ｃ）などの形状のガイドへ連結する可動部一例の簡略図を示し、（８１’）は図２の（Ａ）や（Ｂ）や（Ｃ）に連結する連結部であり、（８２）は（７８）などのスライド用連結部へ連結する連結部であり、（８１）は（８１’）と一体構成し左右で（８２）の半球状の溝に挟み込まれることにより矢印の方向へ可動するスライド用連結部の可動部を示したものでボールジョイントと同様のものであり、請求項１や請求項２の条件の車軸と平行又はほぼ平行な方向に加え多少の向きを変えたガイドの使用をすることができるものである。
【０１４９】
ガイドの連結部における可動部は本発明の請求項に記載した条件の方向成分のタイヤ支持部分の移動及び固定が必ず行えるものであれば、他の機能を付け加えるなどその種類を限定しない。
【０１５０】
図２０は本発明で使用するガイド一例の簡略図を示し、図２０の（Ａ）は請求項１又は請求項２又は請求項４のタイヤ支持物に構成可能であるスライド用の溝形状のレール用ガイドを部分的に斜め上から見た図で、（８３）は（７）と同様の働きをするガイドである。
【０１５１】
図２０の（Ｂ）は本発明の請求項１又は請求項２又は請求項４のレールにはまる形状の突起形状連結部を示し、（８４）は（８３）の中をガイドにしてスライドする連結部である。
【０１５２】
図２０の（Ｃ）は図２の（Ｇ）が分割して複数個よりなったものの簡略図一例を示し、（８５）は連結用のアームであり、（８６）と（８６’）と（８６’’）の回転軸により連結され、（８６）や（８６’）や（８６’’）のいずれかか又はそれらのすべてが図２に記載又は図２と類似する請求項１や請求項２のスライド機能を有したガイドを構成としたものであり、請求項４の着脱用機構は図２０の（Ｃ）のどの場所に設けてもよく、請求項４の条件を満たすものであればそれらの種類は限定しない。
【０１５３】
また、請求項４の着脱用機構は図４や図５や図８や図１９など他の請求項で使用するものと同様のものでよく、それらの種類は限定しない。
【０１５４】
図２０の（Ｄ）は本発明の請求項１又は請求項４の柱形状をしたスライド用レールガイド部分一例の簡略図を示し、車軸と平行な又はほぼ平行な方向へ設置可能である柱形状のレール用ガイド（８３’）がタイヤ支持部分（３）に直接設けられたものであり、（８３’）をスライドして移動する可動部分が外れない様にガイドの端に返しがあれば請求項１のガイドとなり、返しがなく可動部分が外れるものであれば請求項４のガイドとなる。
【０１５５】
図２０の（Ｅ）は本発明の請求項１の柱形状をしたスライド用レールガイド一例の簡略図を示し、車軸と平行な又はほぼ平行な方向へ設置可能である柱形状のレール用ガイド（８３’）がタイヤ支持部分（３）に固定用アーム（８３’’）を介して設けられたもので、請求項１の柱形状のレール用ガイドにはまる形状である連結及びスライド用の穴形状連結部（８４’）が（８３’）を貫通させて（８３’）をガイドにして矢印の方向にスライドして移動するものである。
【０１５６】
図２１は本発明で使用可能であるタイヤ支持物構成部を含んだ簡略図一例であり、図２１の（Ａ）は連結用アーム（８７）及び（８７’）を介して両側のタイヤ支持部分（３）同士が連結することにより円形になる最後に装着するタイヤ支持部分付近の図であり、矢印の方向へタイヤ支持部分を回転運動させることによりはめ込まれるが、最後に装着するタイヤ支持部分同士を図の様な曲線形状の面にすることによりタイヤ支持部分同士が接する様に連結することができる。
【０１５７】
また、図２１の（Ａ）の（８７）は請求項１又は請求項２の回転軸（８８）によりタイヤ支持部分（３）に連結され、２つの（８７’）は３カ所の請求項１又は請求項２の回転軸（８８’）により連結される構造のものである。
【０１５８】
図２１の（Ｂ）は図２１の（Ａ）とは異なり請求項１の回転軸（８９）及び連結固定用ピン（９０）により直接タイヤ支持部分（３）同士をすべて装着したものの図であり、タイヤ支持部分同士の接合面の曲線部分の形状は、直線形の面であっても図１２の（Ｃ）や図１８の（Ａ）などのように凹凸形の面であっても本発明の請求項の条件を満たし任意の形状に連結できるものであれば、それらの形状や構造や材質などそれらの種類は限定しない。
【０１５９】
また、図２１では６個のタイヤ支持部分が連結することにより輪形状のタイヤ支持物となるものであるが、分割するタイヤ支持部分の数は４個や５個に分割したものや７個以上に分割したもや少ないものなど考えることができ本明細書に記載した他の図のタイヤ支持部分と同様に、その種類は限定しない。
【０１６０】
図２１の（Ｃ）は図２１の（Ｂ）の内側の縁がタイヤの内側の縁を示す点線（９１）とほぼ同じか又はタイヤの内周縁よりタイヤの外周縁側にある簡略図を示したものであり、図２１の（Ｄ）はタイヤの空気を入れる空間内にタイヤパンク時のタイヤ支持物を挿入した時に最後にタイヤ支持部分を仮定するための固定用のピン（９０）を有した隣り合うタイヤ支持物（３）同士付近を示した簡略図で、図２１の（Ｅ）は矢印の方向へスライドする請求項１の回転軸（８９）を有した隣り合うタイヤ支持部分（３）同士付近を示した簡略図であり、タイヤ支持物が図２１の（Ｄ）や（Ｅ）の構造か又は図１８の（Ａ）の様な構造を有することにより、タイヤパンク時のタイヤ支持物の構成物をタイヤの内側の縁より車軸側に部分的に移動させ多少変形させることが可能である。
【０１６１】
図２１の（Ｄ）と（Ｅ）は本発明のタイヤ支持部分がジグザグに配置されたものであるが、タイヤ支持部分（３）の隙間が開かないようにタイヤ支持部分を詰めて構成することにより、車輪回転時のつなぎ目の段差による衝撃を減らすことが可能であり、タイヤ支持部分（３）のパンク時のタイヤの内側面との設置部分の面積を図１２の様に増やすことでジグザグな形状からくる接地部分の違いを調整することが可能である。
【０１６２】
図２２は本発明の請求項５の取っ手部分の簡略図一例を示し、（Ａ）はタイヤ支持物をタイヤの車軸側からタイヤの外側方向へ見た図であり、（９２）は取っ手用のくぼみであり、（９２）を手で持ち矢印の方向へ可動させることにより本発明の条件のスライド運動をさせることが可能なものである。
【０１６３】
図２２の（Ｂ）は図２２の（Ａ）を車軸側から見た簡略断面図であり、タイヤ支持部分（３）は軸（９３）により請求項１の回転運動をすることが可能なものである。
【０１６４】
図２２の（Ｃ）は請求項５のタイヤ支持部分を車軸側から見た簡略図一例を示し、タイヤ支持部分（３）に構成された取っ手用のくぼみ（９２）に対して、（９４）はくぼみの（９２）の上部すなわち車軸側付近に設置された取っ手用ハンドルであり、（９２’）はくぼみ（９２）上部すなわち車軸側付近の一部を覆う蓋のように設置された返し型の取っ手部分であり、片方の手で（９４）をつかみもう一方の手を（９２’）に引っかけて矢印の方向へ（３）を引き出すことにより、タイヤ支持物を設置するための取っ手用構造物である。
【０１６５】
図２２の（Ｄ）と図２２の（Ｅ）は図２２の（Ｃ）を車軸と平行な方向に切った断面の簡略図一例を示し、（９４）又は（９２’）の取っ手をつかんでタイヤ支持部分を動かすことにより、本発明の請求項の効果を果たすものであり、取っ手の形状や構造や材質の種類は本発明の条件を満たすものであればそれらの種類は限定しない。
【０１６６】
図２３は本発明のタイヤ支持物の簡略図一例を示し、それぞれ分割されたタイヤ支持部分（３）にあるスライド用ガイド（７）を移動する連結部（８）が柱形状の連結物（９５）により連結され請求項１の条件を満たす効果を有したものである。
【０１６７】
また、図２３の（９６）はタイヤ支持部分（３）に直接固定され設置された隣のタイヤ支持部分を固定するための突起であり、隣のタイヤ支持部分（３）には図6や図１５などに類似した固定用の空間を有し、図４の機構を対向したタイヤ支持部分（３）が構成とすることにより最終的に固定するタイヤ支持物であり、他のタイヤ支持部分同士の間に固定用の突起（９６）や（９６）を固定するための固定用空間を有するなどその種類は限定しない。
【０１６８】
図２４は本発明で使用することが可能なタイヤ支持部分の固定用機構一例の簡略図を示し、（Ａ）はタイヤ支持部分を車軸の延長方向から見た図で、（Ｂ）は（Ａ）の（９７）付近を車軸側方向からタイヤの外周方向へ見た図で、（Ｃ）は（Ｂ）を車軸と垂直な方向から見たずで、（Ｄ）は（Ａ）の（９８）付近を車軸側方向からタイヤの外周方向へ見た図で、タイヤ支持部分（３）に設けられたストッパー収納空間（９９）に内蔵され固定用突起を持つストッパー（９７）が、（９７）の固定用突起の挿入用の穴を先端に有しもう一方のタイヤ支持部分（３）に設けられたストッパー収納空間（９９’）に内蔵された可動式ストッパー（９８）と連結することによって、請求項２の働きをする連結用アーム（８７）を補助してタイヤ支持部分（３）同士の連結をより強固にしたものである。
【０１６９】
また、（９７）と（９８）はタイヤ支持部分の車軸側の面において、タイヤ支持物（３）に設けたストッパー用スイッチのスライド用ガイド（１００）に沿って、矢印の方向へ可動するものであり、図２３に組み込んだ場合に全てのタイヤ支持部分（３）の間に構成するなどその種類は限定しない。
【０１７０】
また、（８７）の周囲のタイヤ支持部分（３）は車輪に接する部分の間に（８７）の収納用の溝空間を有したものである。
【０１７１】
本発明の請求項の連結用アームの固定用装置はアームが確実に固定されるものであれば、それらの種類は限定しない。
【０１７２】
タイヤ支持部分に着脱用装置を設けたり、タイヤ支持部分が複雑な面により連結するものなど、本発明の条件を満たすものであれば、その種類は限定しない。
【０１７３】
本発明で使用するとめ具の種類は様々なものを使用することができ、その種類は限定しない。
【０１７４】
本発明のタイヤパンク時のタイヤ支持物は請求項１や請求項２のいずれかの構造物を本発明のタイヤ支持物に構成すれば、他の構造物や構造や装置や機構を複合したりすることは任意であり、その種類は限定しない。
【０１７５】
本発明の実施態様は以下の通りである。
１．車輪を構成する部分の形状や構造や材質などの種類は様々である。
２．本発明で使用するタイヤ支持物の構造内部の円周の長さを維持可能で変形可能なリング状構造物のものは、ワイヤー、カーカス、チェーン、プレート、ローラー、リング、網、鎖、ネット、布、ビード、ベルト、ひも、ブレーカー、スプリング、クローラー、キャタピラー、ブロック等名称によらず円周の長さを維持可能で変形可能な輪の形状のものであれば、その種類は限定しない。
３．車輪に設けられる溝や穴の形状は本発明の条件を満たすものであれば、その種類は限定しない。
４．本発明のタイヤ支持物とタイヤの空気抜け防止用パッキンの一体化や、空気圧センサーを組み合わせるなどその種類は多様であり、本発明の条件を満たすものであればその種類は限定しない。
５．本発明のタイヤ支持物の輪形状を形成するため連結するタイヤ支持物構成部の個数は複数個からなるが、本発明のタイヤ支持部分を連結するための固定の方法やとめ具や連結部の種類や構造や形状や個数などの種類は多様であり、本発明の条件を満たすものであればその種類は限定しない。
６．本発明の車輪において、特願２０１０−１３１０９５や他の機能や装置や構造との組み合わせは、多様でありその種類は限定しない。
【符号の説明】
【０１７６】
１：車輪、２：車軸、３：分割したタイヤパンク時のタイヤ支持部分、３’：輪形状のタイヤ支持物、３’’：中空状の空間、４：筒の内側形状を有したガイド、５：柱状ガイド、６：筒形状の柱状ガイド、７：タイヤ支持部分に設けた溝形状ガイド、７’：ガイドの穴空間、８：スライド用連結部、９：連結用アーム、９’：請求項１の回転軸、１０・１０’：車軸方向の回転運動用回転軸、１１：連結用アーム同士の連結用回転軸、１２：連結用アーム、１２’：連結用アームの両側に設けられた穴、１３：連結用アーム、１３’：連結用アームに設けられた穴、１４：スライドして移動する突起、１５・１５’・１５’’・１５’’’’：連結用機構、１５’’’：スイッチ用取っ手、１６：スプリング、１７：着脱用突起、１８：着脱用空間、１９：往復運動をする可動突起、２０：円柱形状の棒ガイド、２１・２２：筒形状ガイド、２３：棒状ガイド、８’：連結部、２３’：ガイド、２４：往復運動をする可動突起、２５：穴状の空間、２６：プレート、２７：ガイド、８Ｌ・８Ｒ：ガイドとの連結部分、２９：ボルト、２９’：４７の先端に設けたねじの切ったボルト部分、３０：止めナット、３１：本ナット、３２：ボルト、３３：プレート、３４：３３に設けられた穴、３５：連結部、３６：ガイド、３７：ボルトを接合した突起、３８：ボルト、３９：ワッシャー、４０：スイッチ用取っ手、４０’：穴、４１：タイヤ支持部、４１’：４１に設けた溝、４１’’：穴、４２：ボルト、４３：タイヤ支持部分、４４：スライド防止用ブロック、４５：ストッパー、４６：連結用アーム、４７：タイヤ支持物に設けられた突起、４８：タイヤ支持物に設けられた穴、４８’：連結用の突起の通過用溝、４９：請求項１の回転運動及びスライド運動ができる軸、５０：請求項２の連結用アーム、５０’：５０に設けた突起固定用の穴、５１・５２：連結用フック、５３：連結用回転運動軸、５４：つっかい用構造物、５５：ワイヤー、５６・５６’・５６’’：カーカス、５７：ホイールリム、５７’：連結用ホイールリム部分、５８：タイヤ支持部分、５９：タイヤ支持物固定部分、６０：パッキン、６１：アーム構成部、６２・６２’：アームの固定部、６３・６３’：固定用ガイド、６１：連結用アーム構成部、６２：アームの固定部、６３：固定用ガイド、６２’：アームの固定部、６３’：スライド用ガイド、６５：着脱用突起装置、６６：６５の着脱用空間、６５’：可動突起、６６’：６５’を挿入し固定する溝、６７：固定用構造体、６８：連結等アーム及びテーパー形状になった回転軸、６８’：軸、６９：連結用アームにテーパー形状の穴を設けたもの、７０：連結用部分、７０’：とめ具用の穴、７０’’：とめ具用の穴、７１：連結用部分の回転軸、７２：固定用ナット部分、７３・７３’：スライドタイプ連結用アーム、７４：回転運動用タイプアーム構成部、７５：回転軸、７６：タイヤ外周付近でのつっかい用構造物、７６’：ホイールリム間でのつっかい用構造物、７７：ボルト止め構造、７８：スライド用連結部、７８’：ストッパー用のスイッチ、７９：可動ストッパー、８０：スライド用ガイド、８１：スライド用連結部の可動部、８１’：ガイドとの連結部、８２：スライド用連結部との連結部、８３：ガイド、８３’：柱形状のスライド用レールガイド、８３’’：固定用アーム、８４：連結部、８４’：穴の開いた連結部、８５：連結用アーム、８６・８６’・８６’’：回転軸、８７・８７’：連結用アーム、８８・８８’：回転軸、８９：請求項１の回転軸、９０：連結固定用ピン、９１：タイヤの内側の縁、９２：取っ手用のくぼみ、９２’：取っ手用の返し蓋、９３：回転軸、９４：取っ手用ハンドル、９５：連結物、９６：固定用突起 、９７・９８：スライド用ストッパー、９９・９９’：ストッパー収納空間、１００：ストッパー用スイッチのスライド用ガイド
【図１】
2013216107.tif 000003
【図２】
2013216107.tif 000004
【図３】
2013216107.tif 000005
【図４】
2013216107.tif 000006
【図５】
2013216107.tif 000007
【図６】
2013216107.tif 000008
【図７】
2013216107.tif 000009
【図８】
2013216107.tif 000010
【図９】
2013216107.tif 000011
【図１０】
2013216107.tif 000012
【図１１】
2013216107.tif 000013
【図１２】
2013216107.tif 000014
【図１３】
2013216107.tif 000015
【図１４】
2013216107.tif 000016
【図１５】
2013216107.tif 000017
【図１６】
2013216107.tif 000018
【図１７】
2013216107.tif 000019
【図１８】
2013216107.tif 000020
【図１９】
2013216107.tif 000021
【図２０】
2013216107.tif 000022
【図２１】
2013216107.tif 000023
【図２２】
2013216107.tif 000024
【図２３】
2013216107.tif 000025
【図２４】
2013216107.tif 000026
【手続補正書】
【提出日】平成24年8月3日(2012.8.3)
【手続補正１】
【補正対象書類名】明細書
【補正対象項目名】全文
【補正方法】変更
【補正の内容】
【発明の詳細な説明】
【技術分野】
【０００１】
本発明は、パンク対応用車輪に関する。
【背景技術】
【０００２】
従来のパンク対応用車輪について、以下０００３〜００１７により説明する。
【０００３】
特許４１０２９８１のタイヤとホイールリムで囲まれた空間内に入れるタイヤパンク時のタイヤ支持物については、特許４１０２９８１「発明の実施の形態」において、「図６は・・・４付近の１’下部で１７の左右のつっかいの働きをする凹凸付きの凸条、により１’の間を支え・・・。」と記述し、（４５）のつっかい用の構造物が車輪の左右で支えられることが記載されている。
【０００４】
また特許４１０２９８１「発明の実施の形態」の「図６は・・・」以降、「又、このホイールは１２がない物や、１２が１つにつながったリング形状をした物で１７の働きをする物を１６の点線部付近などに構成した物などでは請求項２の車輪となり、１７が左右のリングと一体化され前述の１２が途中で２を結ぶ方向に分離し接合される物は請求項１の車輪となる。」と記述し、つっかい用構造物がホイールと同じ材質で作られることが可能であることを記載している。
【０００５】
広辞苑に「つっかい」の意味は、「物にあてて支え保つこと。また、その支えに使う柱や棒。つっぱり。支柱。」と記載している。
【０００６】
上記０００３〜０００５より、タイヤ支持物のつっかい用構造物には左右をホイールにより固定することが可能な板状又は棒状の形状をしたものが含まれることがわかる。
【０００７】
特開２００５−３１３６９０の明細書（公報第３頁第４０〜４５行）において、ランフラットタイヤ支持体は、ランフラットタイヤにおいてリムに装着される環状のランフラットタイヤ支持体であって、独立気泡樹脂発泡体にて構成される基材部と、前記基材部の外周面側に設けられた補強部とを有し、前記補強部は、樹脂層と、前記樹脂層中に形成され、タイヤ周方向に巻き回されたコード材からなるコード層とにより構成され、前記樹脂層の内周面に、タイヤ周方向と交差する方向に延びた凹溝が形成される点が記載されているが、特開２００５−３１３６９０に記載のコード材は特許４１０２９８１に記載のつっかい用構造物の役割を果たすものではないことが考えられる。
【０００８】
また特開２００５−３１３６９０は車軸と垂直方向に分割できないために、タイヤ支持物を変形させてタイヤ内部に入れるために、タイヤ支持物の弾性力を考慮してタイヤ支持物の高さをあまり高く設定できないためにタイヤを支持する時の径が大幅に変わったり、以下に記述した特開２００５−３１３７９１のようにタイヤ支持物とタイヤ内面に大きな隙間が生じてタイヤ内部とタイヤ支持物による摩擦熱が発生しやすくなることが考えられる。
【０００９】
特開２００７−０５５３９９の明細書（公報第４頁第８〜１１行）において、タイヤ用ホイール１はリム２の径方向外側に突出する支持中子３を備えている。リム及び支持中子はそれぞれが別個に周方向に複数に分割されており、支持中子の各セクターがそれぞれ連結された後、セクターの内周側にリムのセクターが組み込まれ、各セクターがそれぞれ環状のディスクを介して車軸に着脱可能に固定されるようになっており、このタイヤパンク時における支持物はそれぞれ分割されその分割したタイヤ支持物を個々にタイヤ内部に入れ連結するタイプのタイヤ支持物であることがわかり、タイヤ支持物の外周側に位置するタイヤ側のつなぎ目が離れているのでいつも均一にタイヤに接地している訳ではなく、
また、円周の長さを保ったまま軸の回転運動によりタイヤ支持物同士を着脱するタイプのものではないので装着時にホイール側の径以上にタイヤ支持物がタイヤ内部空間に入り込んだりしてタイヤ支持物同士の着脱がしにくくなる。
【００１０】
特開２００３−３４１３１１については、このタイヤ支持物もそれぞれ分割されているが、タイヤ支持物の円周に対するつなぎ目に段差ができる形状であり、タイヤ支持物と常に同じ様な条件で接していることができないものである。
【００１１】
特開２００８−６８８５７についてはタイヤ支持物同士を軸の回転運動をして着脱するものでないために、タイヤ内部でタイヤ支持物同士を広げなければタイヤ支持物同士の着脱が行えないためにタイヤ支持物の高さをあまり高く設定できず、パンク中の走行時にタイヤとタイヤ支持物の間で摩擦熱が生じやすくなる。
【００１２】
ムースタイヤなどはタイヤをホイールに装着した後、タイヤとホイールの隙間から特殊な装置を用いてタイヤとホイールリムで囲まれる空間内部に入れるため手間がかかり、輪形状になったムースとムースが接合する分割部分に連結機構は存在しないものであり、また、クリンチャータイヤなどは外側のタイヤ内部に空気を入れる輪形状のチュ−ブを入れた構造となっており、タイヤとホイールリムで囲まれる空間に中空状の輪形状のものを入れるものは昔から存在している。
【００１３】
特開２００３−３４１３１１号公報については、タイヤを支持するブロックとブロックのつなぎ目の間が広く、また、ブロックとブロックの連結用のフックがいずれも支持物と一体化されており、タイヤとリムで囲まれる空間内にタイヤを支持するタイヤ支持物の大きい部分を連結部と同時に入れなくてはならずタイヤ支持物の形状に制限が生まれていた。
【００１４】
特開２００８−６８８５７号公報については、タイヤ支持物の雄型の接合部材と雌型の接合部材がタイヤ支持物のタイヤ支持部分と一体化されて設けられているために、上記００１３と類似の問題点を有した。
【００１５】
特公昭５６−７８８５号公報については、（１３）の接支部と（１４）の支持部が一体化されたものでありかつ一つ一つのブロックが同形状のものによる組み立てによって輪の形状になるものであるので、上記００１３と類似の問題点を有した。
【００１６】
特公昭５８−９００３号公報については、上記００１５と同様に環状のフラットプロテクタと別体であり、また、耳片（３０）と板部材（２４）が一体化されているので、上記００１５と同様にタイヤ支持物の高さが高くできないための構造であることがわかる。
【００１７】
特開２００５−１７０３７９号公報と特開２００２−２００９０６号公報については、上記００１２からも従来のものの形状又は役割を変化させたタイヤとホイールリムで囲まれた空間に入れるもののうちの一つであり、また、特開２００５−１７０３７９号公報と特開２００２−２００９０６号公報は、タイヤ支持物の車軸と平行な方向の断面についての出願であり、タイヤ内部の空間におけるタイヤ内壁の高さ付近までタイヤ支持物の高さを高くできる構造のものを示したものではないことがわかる。
【先行技術文献】
【特許文献】
【００１８】
【特許文献１】特許４１０２９８１
【特許文献２】特開２００５−３１３６９０
【特許文献３】特開２００７−０５５３９９
【特許文献４】特開２００３−３４１３１１
【特許文献５】特開２００８−６８８５７
【特許文献６】特開２００３−３４１３１１号公報
【特許文献７】特開２００８−６８８５７号公報
【特許文献８】特開２００５−１７０３７９号公報
【特許文献９】特公昭５８−９００３号公報
【特許文献１０】特開２００２−２００９０６号公報
【特許文献１１】特公昭５６−７８８５号公報
【非特許文献】
【００１９】
【非特許文献１】広辞苑
【非特許文献２】ＪＩＳハンドブック「自動車ＩＩ」日本規格協会２００５
【非特許文献３】ベストカー編「タイヤのすべてがわかる本」三推社、講談                        社  ２００８
【非特許文献４】カナ引き  工業用語辞典  ジャパンマシニスト社
【非特許文献５】特願２０１０−１３１０９５
【発明の概要】
【発明が解決しようとする課題】
【００２０】
従来のタイヤパンク時のタイヤ支持物は、タイヤ支持部分が車軸側に変形できないためタイヤ支持物の大きさに制限を与えるものや、車軸方向に軸とその軸を挿入する穴で固定されないためにタイヤ支持部分同士の様々な方向の外力への連結強度が低いものや、使い勝手のよくないものや、タイヤ支持物同士の間にできるつなぎ目の隙間が大きく常にタイヤを支持することが困難なものなどであった。
【００２１】
本発明のタイヤパンク時のタイヤ支持物は、タイヤ支持物の外径の接地部分の大きさをタイヤ内側の空間の外径と近い大きさに製造しても使用することができるのでタイヤ支持物使用時のタイヤとタイヤ支持物との接地部分が常に又はほとんど支持でき、タイヤ支持部分同士の連結強度を保ち、タイヤ支持物の使用が簡便に行え、タイヤ支持物同士の間にできるつなぎ目の隙間による段差を少なくしたタイヤ支持物の使用を目的とするものである。
【課題を解決するための手段】
【００２２】
上記目的を達成するために、本発明のタイヤパンク時のタイヤ支持物の解決手段の一つは、車輪のタイヤとホイールリムで囲まれた輪形状の空間内においてパンクしたタイヤの内側の面に接触して車輪としての支持用の輪形状であるタイヤ支持物であり、前述の輪形状であるタイヤパンク時のタイヤ支持物は、輪を２個以上の複数個に分割したタイヤ支持部分（３）、及び、前述の分割したタイヤ支持部分同士を連結するジョイント、により構成され、前述の分割したタイヤ支持部分（３）同士が連結することによって輪の形状となるタイヤパンク時のタイヤ支持物において、前述の分割したタイヤ支持部分（３）同士を連結するジョイントが、隣り合う分割したタイヤ支持部分同士の距離を保ちタイヤ支持部分同士の回転運動用である車軸と平行な方向又は車軸とほぼ平行な方向に設置した軸（１０、２１、２２）、よりなるタイヤ支持部分同士の連結用回転軸、及び、隣り合う分割したタイヤ支持部分（３）同士を車軸と平行な方向又はほぼ平行な方向への移動及び固定用である、車軸と平行な又はほぼ平行な方向へ設置可能である溝形状のレール用ガイド（７）及び前述の溝形状のレール用ガイドにはまる形状である連結及びスライド用の突起形状連結部（８）、よりなる往復運動するスライド用ガイド、又は、隣り合う分割したタイヤ支持部分（３）同士を車軸と平行な方向又はほぼ平行な方向への移動及び固定用である、車軸と平行な又はほぼ平行な方向へ設置可能である柱形状のレール用ガイド（５）及び前述の柱形状のレール用ガイドにはまる形状である連結及びスライド用の穴形状連結部（４）、よりなる往復運動するスライド用ガイド、を構成としたことを特徴とする。
【００２３】
本発明のタイヤパンク時のタイヤ支持物の一つは、上記００２２に記載の、車軸と平行又はほぼ平行な方向へスライドをする連結用の往復運動するスライド用ガイド、において、上記のスライド用ガイドの返しをなくした（８３、８４）、分割したタイヤ支持部分（３）同士の着脱用機構、を構成としたことを特徴とする。
【００２４】
本発明のタイヤパンク時のタイヤ支持物の一つは、上記００２２及び００２３記載のタイヤパンク時のタイヤ支持物（３）の車軸側へ面した面において、取っ手（９４、９２’）、又は、取っ手用の溝（９２）又は穴、を構成としたことを特徴とする。
【００２５】
本発明のパンク対応用車輪は、ホイールリム又はホイールディスクのタイヤ側における車軸と垂直又は垂直に近い円周面上において、上記００２２〜００２４記載のタイヤパンク時のタイヤ支持物を挟み込む固定用の凹凸構造部分（５９）、を構成としたことを特徴とする。
【００２６】
上記００２２の作用は、タイヤパンク時のタイヤ支持物が、車輪のタイヤとホイールリムで囲まれた輪形状の空間内においてパンクしたタイヤの内側の面に接触して車輪としての支持用の輪形状であるタイヤ支持物であり、前述の輪形状であるタイヤパンク時のタイヤ支持物は、輪を２個以上の複数個に分割したタイヤ支持部分（３）、及び、前述の分割したタイヤ支持部分同士を連結するジョイント、により構成され、前述の分割したタイヤ支持部分（３）同士が連結することによって輪の形状となるタイヤパンク時のタイヤ支持物において、前述の分割したタイヤ支持部分（３）同士を連結するジョイントが、隣り合う分割したタイヤ支持部分同士の距離を保ちタイヤ支持部分同士の回転運動用である車軸と平行な方向又は車軸とほぼ平行な方向に設置した軸（１０、２１、２２）、よりなるタイヤ支持部分同士の連結用回転軸、及び、隣り合う分割したタイヤ支持部分（３）同士を車軸と平行な方向又はほぼ平行な方向への移動及び固定用である、車軸と平行な又はほぼ平行な方向へ設置可能である溝形状のレール用ガイド（７）及び前述の溝形状のレール用ガイドにはまる形状である連結及びスライド用の突起形状連結部（８）、よりなる往復運動するスライド用ガイド、又は、隣り合う分割したタイヤ支持部分（３）同士を車軸と平行な方向又はほぼ平行な方向への移動及び固定用である、車軸と平行な又はほぼ平行な方向へ設置可能である柱形状のレール用ガイド（５）及び前述の柱形状のレール用ガイドにはまる形状である連結及びスライド用の穴形状連結部（４）、よりなる往復運動するスライド用ガイド、を構成としたことを特徴としたために、高さの高い個々のタイヤ支持部分を連続的に順番にタイヤとホイールで囲まれる空間内に入れ、タイヤを寝かせた状態で次々とタイヤ支持部分をタイヤ内に入れることができる。
【００２７】
上記００２３の作用は、タイヤパンク時のタイヤ支持物が、上記００２２に記載の、車軸と平行又はほぼ平行な方向へスライドをする連結用の往復運動するスライド用ガイド、において、上記のスライド用ガイドの返しをなくした（８３、８４）、分割したタイヤ支持部分（３）同士の着脱用機構、を有したために、タイヤを寝かせた状態で先に入れたタイヤ支持部分に上からすなわち車軸と平行な方向へ滑らせる様に次のタイヤ支持部分を連結することが可能である。
【００２８】
上記００２４の作用は、タイヤパンク時のタイヤ支持物が、上記００２２及び００２３記載のタイヤパンク時のタイヤ支持物（３）の車軸側へ面した面において、取っ手（９４、９２’）、又は、取っ手用の溝（９２）又は穴、を構成としたために、タイヤを横に寝かせた状態でタイヤからタイヤ支持物の取っ手に手をかけることが可能である。
【００２９】
上記００２５の作用は、パンク対応用車輪が、ホイールリム又はホイールディスクのタイヤ側における車軸と垂直又は垂直に近い円周面上において、上記００２２〜００２４記載のタイヤパンク時のタイヤ支持物を挟み込む固定用の凹凸構造部分（５９）、を構成としたために、本発明のタイヤ支持物の円周上を左右両側から挟み込む様に固定することが可能である。
【発明の効果】
【００３０】
本発明のタイヤ支持物の一つは、高さの高い個々のタイヤ支持部分を連続的に順番にタイヤとホイールで囲まれる空間内に入れ、タイヤを寝かせた状態で次々とタイヤ支持部分をタイヤ内に入れることが可能であるために、
タイヤ支持物の大きい構成部分をタイヤ内部に入れたままばらばらに分解することなく簡便にタイヤ支持物の装着ができ、タイヤの径やタイヤの形状に近いタイヤ支持物の使用が利用可能な効果を有する。
【００３１】
本発明のタイヤ支持物の一つは、タイヤを寝かせた状態で先に入れたタイヤ支持部分に上からすなわち車軸と平行な方向へ滑らせる様に次のタイヤ支持部分を連結することが可能であるために、
タイヤ支持部分を任意の方向のみから連結することが可能であり、タイヤ支持物を簡便に組み上げることが可能な効果を有する。
【００３２】
本発明のタイヤ支持物の一つは、タイヤを横に寝かせた状態でタイヤからタイヤ支持物の取っ手に手をかけることが可能であるために、
タイヤ支持物を簡便にタイヤから引き出すことが可能となる効果を有する。
【００３３】
本発明のタイヤ支持物の一つは、本発明のタイヤ支持物の円周上を左右両側から挟み込む様に固定することが可能であるために、
タイヤ支持物の内径を広げずにタイヤ支持物をホイールへ簡便に着脱することが可能となる効果を有する。
【図面の簡単な説明】
【００３４】
【図１】本発明のタイヤ支持物の説明のための簡略図一例
【図２】本発明の請求項１のタイヤ支持物連結部分の簡略図一例
【図３】本発明の請求項１のタイヤ支持物の簡略図一例
【図４】本発明で使用可能なタイヤ支持物構成部分の簡略図一例
【図５】本発明で使用可能なタイヤ支持物部分の簡略図一例
【図６】本発明で使用可能なタイヤ支持物部分の簡略図一例
【図７】本発明で使用可能なタイヤ支持物部分の簡略図一例
【図８】本発明で使用可能なタイヤ支持物部分の簡略図一例
【図９】本発明で使用可能なタイヤ支持物のストッパー機構一例の簡略図
【図１０】本発明で使用可能なタイヤ支持物の簡略図一例
【図１１】本発明で使用可能なタイヤ支持物部分の簡略図一例
【図１２】本発明で使用可能なタイヤ支持物部分の簡略図一例
【図１３】本発明で使用可能なタイヤ支持物部分の簡略図一例
【図１４】本発明の請求項４のタイヤ支持物部分の簡略図一例
【図１５】本発明で使用可能なタイヤ支持物部分の簡略図一例
【図１６】本発明のタイヤ支持物部分の簡略図一例
【図１７】本発明のタイヤ支持物で使用可能なタイヤ支持物構造の簡略図一例
【図１８】本発明で使用可能であるタイヤ支持部分の簡略図一例
【図１９】本発明で使用可能であるタイヤ支持部分構成部の簡略図一例
【図２０】本発明のスライド用機構を含むタイヤ支持部分構成部の簡略図一例
【図２１】本発明で使用可能なタイヤ支持物構成部を含んだ物の簡略図一例
【図２２】本発明の請求項３の取っ手部分の簡略図一例
【図２３】本発明で使用可能なタイヤパンク時のタイヤ支持物の簡略図一例
【図２４】本発明で使用可能なタイヤ支持物の固定機構の簡略図一例
【発明を実施するための最良の形態】
【００３５】
以下、本発明の実施の形態を図１〜図９に基づいて説明する。
【００３６】
図１の（Ａ）は車輪一例の図を示し、（１）は車輪、（２）は車軸であり、視点（ａ）は車軸と平行な位置から見た図における視点であり、視点（ｂ）は車軸と垂直な位置から見た図における視点を示したものである。
【００３７】
以下に記載する「左右方向の断面」と「タイヤ支持物を上から見た断面」と「車軸と平行に切った断面」と「車軸と垂直な位置から見た図」はそれら４つが同じ又はそれら４つがほぼ同じである方向から見たものであり、また、「円周方向の断面」と「タイヤ支持物を横から見た断面」と「車軸と垂直に切った断面」と「車軸と平行な位置から見た図」はそれら４つが同じ又はそれら４つがほぼ同じである方向から見たものである。
【００３８】
また、図１の（Ａ）の視点（ａ）と（ｂ）の矢印は、目で見た時の方向を示したものであるが、請求項１などに記載の「車軸と平行又はほぼ平行な方向」は、視点（ａ）の矢印の方向となる。
【００３９】
本発明で記載する「ジョイント」とは「継手」や「連結物」の意味であり、互いに回転できる「滑節」と動かない「剛節」とがある（カナ引き  工業用語辞典  ジャパンマシニスト社  参照）が、本発明の請求項１のジョイントでは「滑節」となる。
【００４０】
図１の（Ｂ）は図１の（Ａ）を車軸と平行な方向から見た図であり、車輪（１）が輪形状であることを示したものであり、この図に記載の（１）の外側の円はタイヤ外周の縁であり、（１）の内側の円はタイヤの内側の縁である。
【００４１】
図１の（Ｃ）は本発明の請求項に記載の分割するタイヤパンク時のタイヤ支持物を図１の（Ｂ）と同じ方向から見たものを部分的に記載した簡略図を示し、（３）と（３ａ）と（３ｂ）は分割するタイヤパンク時のタイヤ支持物又は分割したタイヤパンク時のタイヤ支持部分であり、また、「車輪の回転方向に対する前後両端」とは（３ａ）においては（３ａ）の左右にある（３）と（３ｂ）側の方向で、（３ｂ）においては（３ｂ）の左右にある（３ａ）と（３）側の方向であり、本発明の特許請求の範囲や明細書で記載する隣り合うタイヤ支持部分は本図において（３ａ）と（３ｂ）としたが、本発明の請求項における隣り合うタイヤ支持部分の形状や構造や材質の種類を限定したものではない。
【００４２】
図１の（Ｄ）は図１の（Ｃ）の分割をするタイヤパンク時のタイヤ支持物を車軸側からタイヤ支持物外周方向へ見て、図１の（Ｃ）に記載の（３ｂ）をタイヤの外側へ出したものを部分的に記載した簡略図を示し、本図の（３ｂ）を矢印の方向すなわち
車軸と平行な方向又は車軸とほぼ平行な方向へ往復運動させスライドさせることにより（３ａ）付近のタイヤ（１）の内側縁内の空間に移動させるもので、請求項１に記載の「隣り合うタイヤ支持部分同士を車軸と平行な方向又はほぼ平行な方向への移動及び固定用である、・・・、往復運動するスライド用ガイド」によるタイヤ支持部分の動きを図示したものである。
【００４３】
図１の（Ｅ）は図１の（Ｄ）の（３ｂ）をタイヤ（１）の内側縁内の空間に移動した後に車軸と平行な軸により回転運動するタイヤ支持部分（３ｂ）の簡略図一例を示し、タイヤ支持部分（３ｂ）が矢印の方向へ回転運動するとタイヤとホイールリムで囲まれる空間内に（３ｂ）が入り、（３ｂ）の両側にある分割されたタイヤ支持物（３ａ）と分割されたタイヤ支持物（３）の間で連結し固定されるものであり、請求項１に記載の「隣り合う分割したタイヤ支持部分同士の距離を保ちタイヤ支持部分同士の回転運動用の車軸と平行な方向又は車軸とほぼ平行な方向に設置したタイヤ支持部分同士の連結用回転軸」によるタイヤ支持部分の動きを図示したものである。
【００４４】
図２は本発明の請求項１におけるスライド用のガイド一例の簡略図を示し、図２の（Ａ）は円柱形状をしたシャフト（５）が円筒の内側面形状の穴型ガイド（４）を、図２の（Ｂ）は角柱形の柱（５）が角形状の筒の内側面形状の穴型ガイド（４）を、
請求項１に記載の「車軸と平行な又はほぼ平行な方向へ設置可能である柱形状のレール用ガイド及び前述の柱形状のレール用ガイドにはまる形状である連結及びスライド用の穴形状連結部、」と同様にそれぞれ矢印の方向へスライドすることにより往復運動をする筒内側の穴構造とその筒構造をスライドする棒よりなるガイドであり、本発明で使用する往復運動をするガイドは同様の往復運動ができるものであれば、その形状や構造や材質や名称などその種類は限定しない。
【００４５】
図２の（Ｃ）は請求項１の往復運動用のスライドガイド一例の簡略図を示し、（６）は（４）に内包されスライドして往復運動をし（５）の柱状ガイドを内包する筒形状の柱状ガイドであり、（ａ’）はガイドが縮んだ時に（ａ）に内包され固定することにより軸の強度を保つための（６）と（４）の固定用部分である。
【００４６】
図２の（Ｄ）と（Ｅ）と（Ｆ）は請求項１の往復運動用のスライドガイドの簡略図一例で、図２の（Ｅ）は図２の（Ｄ）を上方から見た簡略図一例を示し、タイヤ支持部分（３）に設けられた溝形状のガイド（７）にある穴空間（７’）を、連結用である請求項１に記載の「突起形状連結部」である突起形状スライド部分（８）がスライドするもので、図２の（Ｆ）は図２の（Ｄ）の（８）の下部を図示したものであり、（７）の溝の上部が内部より狭くなり図２の（Ｃ）の（６）と（４）の様に返し形状となり（８）の底部の突起部分が大きくなることにより（８）が（７）から抜け落ちない構造となったもので、請求項１に記載の「車軸と平行な又はほぼ平行な方向へ設置可能である溝形状のレール用ガイド及び前述の溝形状のレール用ガイドにはまる形状である連結及びスライド用の突起形状連結部」と同様の構造物を簡略図で示したものある。
【００４７】
図２の（Ｇ）は本発明で使用可能である連結用アーム一例の簡略図を示したものであり、（９）はタイヤ支持部分（３）に軸で連結し回転運動をすることにより、分割され隣り合うタイヤパンク時のタイヤ支持部分同士を連結固定するアームであり、（９’）はアーム（９）における「車輪の回転方向に対する前後両端」に設けられた請求項１の回転軸である。
【００４８】
タイヤパンク時のタイヤ支持物構成部分同士を連結固定するアームは、直線や曲線形状の柱形状又はプレート形状のものや、穴の開いた格子形状となったものや、中空状になったものや、また、請求項１の回転軸やスライド用ガイドを車輪の回転方向に対する前後両端に設けたアームを複数連結したものなど、本発明の条件を満たすものであればそれらの種類は限定しない。
【００４９】
図３は本発明の請求項１のタイヤ支持物の簡略図一例を示し、図３の（Ａ）の（３）はタイヤ支持部分であり、連結用アーム（９）は請求項１に記載の「タイヤ支持部分に連結した車軸と平行な方向又はほぼ平行な方向に回転運動を行う回転軸」により連結用アーム同士を連結し車軸と同じ方向で回転運動をする軸（１０）で連結、及び（３）に設けた（７）に連結して請求項１の条件の方向へスライドする連結部（８）に連結する車軸と同じ方向へ回転運動をすることが可能である回転軸（１０）とを連結し、（１１）は隣に連結して設置する分割されたもう一方のタイヤパンク時のタイヤ支持部分にある連結用アームとの連結用の回転軸（１０）を連結固定するための回転軸用の穴であり、タイヤ支持物の形状は本発明の条件を満たすものであれば、その種類は限定しない。
【００５０】
図３の（Ｂ）は図３の（Ａ）を車軸側から見た簡略図であり、（８）と（８）に連結する（９）は矢印の方向へ請求項１に記載の溝形状のレール型ガイドに沿って移動し隣の（３）をスライドさせることにより、互いに隣の（３）同士を重ならないようタイヤの円周の内側方向へ回転運動させることができる構造を有したものである。
【００５１】
図３の（Ｃ）は図３の（Ｂ）の（８）と（９）を請求項１の条件でスライドした図であり、同様の形状のものを連続して連結することで請求項１よりなるタイヤパンク時のタイヤ支持物の輪を構成するものである。
【００５２】
図３の（Ｄ）は図３の（Ａ）のタイヤ支持部分と異なり左右の外側方向へ（８）のスライド軸を移動させるガイドを（３）の中央付近に設置したものである。
【００５３】
図３の（Ｅ）は図３の（Ｄ）を車軸側から見た簡略図であり、（９）及び（８）が外側方向へスライドするものであるが、本発明の条件を満たすものであれば、スライドのための装置の形状や構造などその種類は限定しない。
【００５４】
図３の（Ｆ）は隣り合う別々のタイヤ支持部分における連結用アームを連結させた簡略図一例を示し、図３の（Ｄ）のプレート形状の連結用アーム（９）が「車輪の回転方向に対する前後両端」の一方に位置する回転軸（１０）によりタイヤ支持部分へそれぞれ連結し、また、隣り合うタイヤ支持部分が連結用アーム（９）間にある「車輪の回転方向に対する前後両端」のもう一方に位置する回転軸（１０’）によってそれぞれ連結したものである。
【００５５】
本発明の請求項１における回転軸たスライド用ガイドの種類は同じものであり、また、本発明の請求項１におけるタイヤ支持部分同士を連結するアーム（９）や軸（１０）や軸（１０’）の個数（アームが片側のタイヤ支持部分で２個以上ある個数のものが軸により連結したものなど）や形状や構造や材質など、本発明の条件を満たすものであれば、それらの種類は限定しない。
【００５６】
図３の（Ａ）ではタイヤ支持部分（３）における他のタイヤ支持部分（３）との接合面が曲線形状の面であるが、タイヤ支持部分（３）における隣のタイヤ支持部分（３）との接合面が直線形状の面となったものであっても、接合面の形状は本発明の条件を満たすものであれば、その種類は限定しない。
【００５７】
図４は本発明で使用可能なストッパーが車軸と平行又はほぼ平行に移動するタイヤ支持物部分の簡略図一例を示し、（Ａ）は連結用アーム（１３）に設けられた穴（１３’）の中をスライドして移動する突起（１４）により連結用アーム（１２）が連結されるところを図示したもの、（Ｂ）は連結用アーム（１２）の両側に設けられた穴（１２’）の中をスライドして移動する突起（１４）により連結用アーム（１３）が連結される車軸と平行な方向又は車軸とほぼ平行な方向へスライドする構造である、プレート又は突起よりなる固定用ストッパーを図示したものであり、本発明の条件を満たす効果を有した構造のものであれば、その種類は限定しない。
【００５８】
図５は本発明で使用可能な連結固定用装置の簡略図１例であり、（Ａ）は連結固定部（１５）と連結固定部（１５’）が引っかかることによりタイヤ支持物を連結固定するための連結装置で（１５）は作動用の取っ手（１５’’’）を矢印の方向へスライドさせるとスプリング（１６）を構成に持つ可動部（１５’’）を押すことによりタイヤ支持物の着脱を行うものの図で、（Ｂ）は（１５’’’）を矢印の方向へスライドさせることによりスプリング（１６）を構成に持つ（１５’’）を押し広げ別の固定部（１５）を固定するストッパー部も矢印方向へ押し広げる連結装置部分の図である。
【００５９】
図６は本発明で使用可能であるタイヤパンク時のタイヤ支持物一例の簡略図を示し、（Ａ）はタイヤ支持物同士が矢印の方向へ往復運動をすることによって互いの装着が行える機構の簡略図一例を示し、タイヤ支持物が往復運動することによりタイヤ支持部分（３）に設けられた固定式の突起の着脱用の「穴又は溝」すなわち着脱用の空間（１８）と隣のタイヤ支持部分（３）に設けられた「タイヤ支持部分に直接設置するタイヤ支持部分同士の連結用の突起」すなわち着脱用の突起（１７）が連結をし、（１８）に設けられバネの力で突出したり押されることにより引っ込む突起（１９）と、（１９）を挿入し固定する溝をタイヤ支持物の着脱用突起（１７）に設けたものの例である。
【００６０】
図６の（Ｂ）は図６の（Ａ）の（１８）側の（３）の断面図を示し、隣のタイヤ支持物の固定用の溝を有した着脱用突起（１７）を挿入し固定することが可能な強度を持つバネの力により往復運動をする突起（１９）を有した、固定用の溝がある突起形状の着脱用装置（１７）を接合するタイヤ支持物（３）を図示したものである。
【００６１】
図６の（Ｃ）は図６の（Ａ）の（１７）側の（３）の断面図を示し、隣のタイヤ支持物の突起を固定することが可能な強度を持つ溝を（１７）の着脱用突起に有したタイヤ支持物（３）である。
【００６２】
図６の（Ｄ）は請求項１の柱形状の往復運動用スライド軸断面一例の簡略図であり、（８）はガイドとタイヤ支持物の固定用の連結部分であり、筒形状ガイド（２１）と筒形状ガイド（２２）は先端に返しのついた形状により外れない様になっており、返しがないものでは請求項２のガイドとなる。
【００６３】
また、図６の（Ｄ）において、円柱形状の棒（２０）が（２１）の内部に設けられており、ガイドが縮んだ時に（２２）の内部に（２０）が入っていき、軸の強度が増す構造のものである。
【００６４】
図６の（Ｅ）は本発明のタイヤパンク時のタイヤ支持物の車軸側を車軸側から車輪の外周方向に見た簡略図一例を示し、（２３）の本発明の請求項１の往復運動をして伸縮をする棒状ガイドに、タイヤ支持物（３）に固定された連結部（８’）と、タイヤ支持物に設けられた本発明の請求項１に記載の「車軸と平行な又はほぼ平行な方向へ設置可能である溝形状のレール用ガイド」に連結する「溝形状のレール用ガイドにはまる形状である連結及びスライド用の突起形状連結部」の可動及び固定用の連結部（８）が連結され、請求項１に「車軸と平行な又はほぼ平行な方向へ設置可能である柱形状のレール用ガイド及び前述の柱形状のレール用ガイドにはまる形状である連結及びスライド用の穴形状連結部」と記載の機構と同様の円柱形状をした回転運動を行うガイド（２３）に接合する（８）と（８’）により隣り合うタイヤ支持部分が連結されたものを示したものである。
【００６５】
図６の（Ｆ）は図６の（Ｅ）の一つのタイヤ支持物をタイヤ外周から斜め方向に見た簡略図一例を示し、（３）が複数個連結することにより、輪形状になるものである。
【００６６】
図６の（Ｇ）は図６の（Ｅ）の並んだ二つのタイヤ支持物を図６の（Ｅ）と同じ方向から見た図を示し、（８）は（３）に設けられたガイド（７’）を請求項１の条件と同じ方向に移動し（８）と（８’）の間にある（２３）の棒状ガイドも伸びることにより並んだ（３）が互いに重ならず請求項１に「隣り合う分割したタイヤ支持部分同士の距離を保ちタイヤ支持部分同士の回転運動用である車軸と平行な方向又は車軸とほぼ平行な方向に設置した軸、よりなるタイヤ支持部分同士の連結用回転軸」と記載の車軸と平行な方向での回転運動をすることができる回転軸を図示したものである。
【００６７】
図６の（Ｈ）は本発明で使用することができるガイド断面一例の簡略図を示し、両側の（７）の請求項１の溝タイプのレール型ガイドの間の返し構造により（８）の連結部が固定できるように存在し、（８）には（２３）と同じ働きをするガイド（２３’）が設置されたものを図示したものである。
【００６８】
図６の（Ｉ）はタイヤパンク時のタイヤ支持物固定用であるタイヤ支持部分間のスライド留め一例の簡略図を示し、（３）が互いに近づく方へスライドした時に（３）に設けられた（２５）の穴状の空間内に、もう一方の（３）に設けられた通常はバネによって突起が押し出された状態で（２５）が設置された対向する（３）が近づくと対向する（３）の側面により押し下げられ（２５）付近に来るとまた押し出される突起を有したストッパー機構の簡略図を示したものである。
【００６９】
図７は本発明で使用可能であるタイヤパンク時のタイヤ支持物一例の簡略図を示し、図７の（Ａ）はタイヤパンク時のタイヤ支持部分（３）の内部でタイヤ支持物の変形を抑制するプレート一例を示したものであり、プレート（２６）の内側に穴を開け軽量化したものに、請求項１の柱形状のスライド用レールガイド（２７）及び請求項１の溝形状のレールガイド（７’）を有した構造のものである。
【００７０】
図７の（Ｂ）は図７の（Ａ）を横から見た簡略図であり、タイヤ支持部分（３）の形状に合わせて、（２６）が湾曲した曲線形状になったものである。
【００７１】
図７の（Ｃ）は（２６）の中央付近に（８）用のガイド（７’）を有したものであり、図３の（Ｄ）などで使用できる形状のものである。
【００７２】
図７の（Ｄ）は図７の（Ｃ）で使用することができる（８）の一例を示したものであり、（２６）に連結する、左側のガイドとの連結部分（８Ｌ）と右側のガイドとの連結部分（８Ｒ）は互いを貫通するボルトで固定するための穴（２８）を有したものを図示したものである。
【００７３】
図７の（Ｅ）は図７の（Ｄ）を下から見たものでり、（８Ｌ）と（８Ｒ）がボルト（２９）を互いに貫通させ止めナット（３０）と本ナット（３１）よりなるチェックナットで固定されたものを図示したものである。
【００７４】
図７の（Ｆ）は本発明で使用することができるタイヤパンク時のタイヤ支持物一例の簡略図を示し、プレート（２６）は車軸側からタイヤの外周への方向への移動用ガイド（７’）を有し、タイヤ外周方向から車軸側へ貫通するプレート固定用ボルト（３２）を有したものを図示したものである。
【００７５】
図７の（Ｇ）は図７の（Ｆ）にはめ込むためのプレート一例の簡略図を示し、プレート（３３）に設けられた（３５）は図７の（Ｆ）の（７’）にはめ込まれ移動する連結部であり、（３４）のプレートを上下に貫通する穴によって図７の（Ｆ）の（３２）を貫通させナットにより固定されるものを図示したものである。
【００７６】
図７の（Ｈ）は図７の（Ｇ）を上から見たものの図であり、（８）用のガイド（３６）及び（３２）の移動ができる穴（３４）を示したものである。
【００７７】
図７の（Ｉ）は本発明のタイヤパンク時のタイヤ支持部分を車軸側から見たものの一例の簡略図を示し、タイヤ支持部分の車軸側の面における車軸側に盛り上がった部分（３ｈ）と、プレートを固定するために盛り上がった突起（３７）及びボルト（３８）と、請求項１の溝タイプのレールガイド（７’）を有したものを図示したものである。
【００７８】
図７の（Ｊ）は図７の（Ｉ）の（３７）と（３８）を横から見たものにワッシャーとナットを装着したものの簡略図一例を示し、ボルト（３８）にチェックナット（３０）と（３１）とワッシャー（３９）を図示したものである。
【００７９】
図７の（Ｋ）は図７の（Ｉ）へ（８）によって装着するプレート簡略図一例を示し、（３７）を貫通させるためにプレート（３３）を上下に貫通する穴（３４）を有し、回転軸（１０）をアーム側とタイヤ支持物側に構成したプレートを示したものであり、本発明の条件を満たすものであればそれらの構造や形状や材質などの種類は限定しない。
【００８０】
よって、分割したタイヤ支持部分同士を連結するジョイントは、「滑節」や「剛節」などを複合したものであってもよく、請求項１の「滑節」の条件を満たすものであればそれらの種類を限定しない。
【００８１】
図８は本発明で使用可能なタイヤ支持物の連結装置の固定部の簡略図一例であり、（Ａ）は固定部の上視図で（４１’）は作動用の取っ手（４０）のスライド用にタイヤ支持物（４１）に設けた溝で、（４０’）はボルトを貫通させるため（４０）に設けた穴であり、（Ｂ）は（Ａ）の固定部付近の断面図で（４０）のスライド後に（４１）と（４０）を固定するためのボルト（４２）を（４１）に設けたネジの切った穴（４１’’）と（４０’）を貫通させ挿入し固定する構造を示した図である。
【００８２】
また、図８の（Ｃ）は本発明で使用可能なタイヤ支持部分と連結用部分の固定方法一例の簡略図を示し、（４５）はタイヤ支持部分（４３）の内部をスライドし移動できるストッパーで、（４５）は連結用アーム（４６）に設けられた穴を貫通して（４６）も固定するストッパーであり、（４５）のスライドを防止し固定するためのブロック（４４）がボルト（４２）によって固定されることにより、タイヤ支持部分と連結用部分の着脱を行うものである。
【００８３】
本発明で使用する固定用機構は、図４の様に連結用アームに構成しても、図８の（Ｃ）の様にタイヤ支持部分に構成してもよく、本発明の条件を満たすものであればその種類は限定しない。
【００８４】
図９は本発明で使用可能であるタイヤ支持物のストッパー機構一例の簡略図を示し、（Ａ）はタイヤ支持部分（３）において、片側のタイヤ支持部分（３）に設けた連結用ストッパー（４７）ともう一方に（４７）を挿入し固定するタイヤ支持部分（３）に設けた穴（４８）を構成したものを示し、請求項１の回転運動及びスライド運動をする回転軸（４８）が回転運動をすることにより、一方のタイヤ支持部分（３）に構成された連結用ストッパー（４７）がもう一方のタイヤ支持部分（３）に構成された固定用の穴（４８）に回転運動をしながらスライドして挿入されタイヤ支持部分が複数個連結され輪形状に連結した後内側にホイールリムを挿入することで、個々のタイヤ支持部分にある請求項１の働きをする軸（４９）に対する回転軸方向への動きが抑制され（４７）と（４８）が引っかかり固定されるものである。
【００８５】
本明細書の図９に本明細書の図４や図５や図８のストッパー機構や他の形状のストッパー機構を組み合わせて構成してもよく、本発明の請求項の条件を満たすものであればそれらの種類は限定しない。
【００８６】
図９の（Ｂ）は本発明で使用可能であるストッパー機構一例の簡略図を示し、タイヤ支持物（３）に設けられたストッパー用の突起（４７）が、本発明の請求項１の回転運動及びスライド運動をする回転軸を両端に有する連結用アーム（５０）を有したものである。
【００８７】
図９の（Ｃ）は図９の（Ｂ）の（５０）を車軸側からタイヤ外周方向へ見た簡略図を示し、連結用アーム（５０）が（４７）を挿入して固定する穴（５０’）を有したものである。
【００８８】
図９の（Ｄ）は本発明で使用可能であるタイヤ支持物のストッパー機構一例の簡略図を示し、一方のタイヤ支持物に設けたストッパー用の突起（４７）がもう一方のタイヤ支持物に連結した連結用アーム（５０）に設けられた穴（５０’）に挿入され固定するストッパー機構を示したものである。
【００８９】
図９の（Ｅ）は図９の（Ｄ）をタイヤの外周側から車軸側の方向へ見た簡略図一例を示し、タイヤ支持物の両端が高くなり中央部分が低くなったタイヤ支持物（３）において、一方のタイヤ支持物（３）に構成された突起（４７）が、もう一方のタイヤ支持物（３）に構成された突起（４７）を通過させるための溝（４８’）をタイヤ外周方向からタイヤの車軸方向へ通過して連結用アーム（５０）に構成された固定用の穴（５０’）に連結するものである。
【００９０】
図９の（Ｆ）と（Ｇ）は図９の（Ｄ）の連結用アーム（４７）の先端がボルト形状になったもの一例の簡略図を示し、（４７）の先端に設けられたねじの切ったボルト形状部分（２９’）に止めナット（３０）と本ナット（３１）よりなるチェックナットを固定したものである。
【００９１】
図９の（Ｈ）は本発明で使用可能なタイヤ支持物連結部分の簡略図一例を示し、
両側の連結用アーム（５０）が複数の連結用プレート部分（５１）と（５２）により連結するために、（５１）と（５２）を貫通して連結し回転運動が可能なための軸（５３）によりタイヤ支持物同士を連結するものである。
【００９２】
図９の（３）や（５１）や（５２）や（５３）の構成するそれぞれの数や構成場所など本発明の条件を満たすタイヤ支持物であればよく、その種類は限定しない。
【００９３】
図５などに記載した着脱及び固定用機構は、分割したそれぞれのタイヤ支持物同士が対向した面に構成するなど、タイヤ支持物同士の着脱ができるものであればその種類は限定しない。
【００９４】
上記は本発明の請求項の説明のために記載したものであり、形状や材質や構造を限定するためのものではなく、本発明の条件を満たすものであればその種類は限定しない。
【実施例】
【００９５】
以下、本発明の実施例を図１０〜図２３に基づいて説明する。
【００９６】
図１０は本発明のタイヤ支持物部分の簡略図一例を示し、（Ａ）〜（Ｆ）はタイヤ支持物を車軸と垂直な方向から見たタイヤ支持物の片側部分を車軸と平行に切った断面で、（Ｇ）と（Ｈ）はタイヤ支持物を車軸と垂直な方向から見た断面で、（Ｉ）と（Ｊ）は車軸と平行な方向からタイヤ支持物部分を見た図で、（Ａ）〜（Ｊ）の図の上側がタイヤ内面との接地部分であり、下側が車軸側でありホイールリムと接地する部分である。
【００９７】
図１０の（Ａ）はタイヤとの接地部分より下の部分が削られたもの、（Ｂ）は（Ａ）のタイヤとの接地部分を支える部分が片側に移動したもの、（Ｃ）はタイヤ内面のサイド壁側が曲面となりタイヤに沿って支持することができる形状になったもので、（Ｄ）は（Ｃ）を中空状にしたもので、（Ｅ）は両側からタイヤとの接地部分を支える形状のもので、（Ｆ）は（Ａ）に支えがついたものであり、この支えは両サイドに設けられたり交互にずらして設けたり支えの形状や支える範囲を変更するなどしてもよく、タイヤとの接地部分やその接地部分を支える部分の形状は様々であり、その種類は本発明の条件を満たすものであれば限定しない。
【００９８】
図１０の（Ｇ）と（Ｈ）はタイヤとの接地面が３分の２未満のものとタイヤ支持部分が中空状になったものの例であり、それらの形状やタイヤ支持物の構成物の接地間隔や個数や、タイヤ支持物が波形になる等の形状の種類は本発明の条件を満たすものであればその種類は限定しない。
【００９９】
また、図１０の（Ｈ）はタイヤの横を厚くしてパンク時の車輪を支えるタイプのランフラットタイヤと同様のものを並べたものの例である。
【０１００】
図１０の（Ｉ）と（Ｊ）はタイヤ支持部分に穴を空けたものの例であるが、穴の形状や個数などタイヤ支持物としての強度や本発明の条件を満たすものであればその種類は限定しない。
【０１０１】
図１０の（Ｉ）と（Ｊ）は本発明で使用可能な円周を分割するタイプのタイヤ支持物で、タイヤ支持物を軽量化するための空洞を有することによってブリッジ形状を有したタイヤ支持物構成部である。
【０１０２】
本発明のタイヤ支持物はタイヤとの接地部分をゴムやシリコンや発泡材料等の高分子化合物などで作り、その接地部分の支持部分を中空状でリサイクル可能な中空状の金属、又はカーボン素材等で作るなど、その構造の種類は本発明の条件を満たすものであれば限定しない。
【０１０３】
また、タイヤ支持物同士の固定を一方のタイヤ支持物と他方のタイヤ支持物の接合部分をボルトで固定したり、上記図８などの機構を持った着脱用機構により固定したり、本発明等の軸による回転運動でタイヤ支持物同士をはめ込むことによって固定し、タイヤ支持物の輪形状を形成するなど様々なものが考えられる。
【０１０４】
本発明の請求項のものはタイヤの空気圧センサーやタイヤ支持物のホイール側の面からタイヤ側の面への空気を移動させるための気体通過用溝や穴などの通路構造など本発明の請求項に限らず複合することが可能であり、その種類は限定しない。
【０１０５】
図１１は本発明で使用可能なタイヤ支持物構造部分の簡略図一例を示し、図１１の（Ａ）は請求項２の連結用アームに回転運動が可能な連結用の軸を有したものである。
【０１０６】
図１１の（Ｂ）は図１１の（Ａ）に連結するための穴を有した請求項２の連結用アームであり、図１１の（Ａ）と（Ｂ）の連結時に（Ａ）と（Ｂ）の接触面が平らになっているためにタイヤ支持物同士を回転運動させても、タイヤ支持物が軸の回転方向以外の方向に傾きにくく抑制でき安定した回転運動をすることが可能である。
【０１０７】
また、本発明の隣あうジョイントをつなぐための連結用アーム同士の軸及び軸を挿入する穴又は溝の形状は、図１１の（Ａ）及び（Ｂ）では円柱状となっているが、接合部分が多角柱等の形状をした軸や穴や溝の回転しない形状のものであっても、その連結用アームと連結用アームが属するタイヤ支持部分が回転運動をするものであれば、タイヤ支持部分自体の回転が行え、それらの種類は本発明の請求項の条件を満たすものであれば限定しない。
【０１０８】
図１１の（Ｃ）はタイヤ支持物同士の接合面を直線的にした簡略図一例であるが、タイヤ支持物同士の向かい合う面や接合面は、直面形状であっても、曲面状であっても、凹凸状であっても、またそれらを複合したものであっても、それらの形状や構造は本発明の請求項の条件を満たすものであれば、それらの種類は限定しない。
【０１０９】
図１１の（Ｄ）はタイヤ支持物のストッパー部分として使用可能である凹構造の簡略図一例を示し、この凹構造と反対形状の凸構造のタイヤ支持物を引っかけることによりタイヤ支持物の固定ができるものであるが、図１１の（Ｃ）と同様に本発明の請求項の条件を満たすものであればその種類は限定しない。
【０１１０】
図１１の（Ｅ）は図１１の（Ｄ）に小さなくぼみを設けた簡略図一例であり、その小さなくぼみに図５のようなスイッチ式のストッパーを引っかけることによってタイヤ支持物の固定を行えるようにしたものである。
【０１１１】
図１１の（Ｆ）は図１１の（Ｅ）のくぼみが小さな突起になったものの簡略図一例であり、図５のスイッチ式のストッパーを突起に引っかけることによりタイヤ支持物の固定を行えるようにしたものである。
【０１１２】
図１１の（Ｄ）や（Ｅ）や（Ｆ）などタイヤ支持物やタイヤ支持物の固定用装置は、タイヤ支持物の固定が任意に行われるものであればよく、それらの形状や構造や材質の種類は限定しない。
【０１１３】
図１１の（Ｇ）と（Ｈ）と（Ｉ）は本発明で使用可能である固定用スイッチの可動部分簡略図一例の図であり、（Ｇ）は矢印の方向へスイッチをスライドさせることで固定用機構を作動させるタイプのもので、（Ｈ）はスイッチを回転させ回すことで固定用機構を作動させるタイプのものであり、（Ｉ）は取っ手を引くことにより固定用機構を作動させるタイプのものでまた取ってのつけ根付近に設けた軸により取って自体を倒すことが可能であるスイッチ部分であり、図１１の（Ｇ）や（Ｈ）や（Ｉ）はタイヤ支持物等を固定するための機能を果たすことができるものであれば、それらの形状や構造や材質の種類は限定しない。
【０１１４】
図１２は本発明で使用可能なタイヤ支持物構造の簡略図一例を示し、（Ａ）の（５１）と（５２）はタイヤ支持物に構成する穴（５１’）と穴（５２’）が開いた連結用フックで、（Ａ）の（５３）は（５１）と（５２）を貫通して連結し回転運動が可能なための軸でタイヤ支持物同士が連結されることにより、タイヤ支持物部分が回転をすることができる機構であり、（Ｂ）はタイヤ支持物を車軸と垂直に切った断面で個々のタイヤ支持物（３）に設けた（５１）と（５２）が（５３）により連結され固定された図を示し、（Ｃ）は図１２の（Ｂ）の（５１）と（５２）付近を車軸と垂直な位置の車軸側から見た図であり複数の（５１）と（５２）を貫通し固定された（５３）の軸を示したものである。
【０１１５】
図１２の（３）や（５１）や（５２）や（５３）の構成するそれぞれの数や構成場所など本発明の条件を満たすタイヤ支持物であればよく、その種類は限定しない。
【０１１６】
図１３は本発明で使用可能であるタイヤ支持物の断面簡略図一例を示し、（Ａ）は車軸と平行に切った断面図、（Ｂ）は本発明のタイヤ支持物の分割部分の線を省略し車軸と垂直に切り簡略化した断面図、（Ｃ）は分割したタイヤ支持物構成部分を車軸と垂直に切った断面図、（Ｄ）はタイヤ支持物を車軸と平行に切った断面図を示し、（５４）はホイールリム付近とのつっかい用の構造物で、（５５）は一つのタイヤ支持物ブロック内にあるワイヤーで、（５６）はタイヤ支持物の円周内部に存在するカーカスの輪であり、（５６’）は一つのタイヤ支持物（３’）のブロック内の外周円部分に構成されるカーカスの輪であり、点線（Ｘａ）は図１３の（Ａ）の断面が存在する部分である。
【０１１７】
図１３の（Ｃ）は車軸と平行な位置から見た分割したタイヤ支持物の簡略図であり、カーカス等と類似の働きをする（５６’’）がタイヤ支持物パーツ単体の車軸と垂直な方向において輪形状に存在したもので、図１３の（Ｄ）は車軸と垂直な位置から見た分割したタイヤ支持物の簡略図であり、カーカス等と類似の働きをする（５６’’）がタイヤ支持物パーツ単体の車軸と平行な方向において輪形状に存在したものであり、（５６’’）は（Ｃ）や（Ｄ）が単体で存在するものであっても、（Ｃ）と（Ｄ）を複合したものであっても、（５６’’）が（Ｃ）又は（Ｄ）に対して斜め方向に存在したものや斜め方向の（Ｄ）が単方向で存在するものや、（５６’’）を使用しないものなど様々であり、その種類は限定しない。
【０１１８】
図１４の（Ａ）は本発明の請求項４の車輪の簡略図の一例を示したものであり、（５７）はタイヤ支持部分（５８）を有するホイールリムのタイヤ支持部で、（５７’）は（５７）と連結するホイールリム部分であり、（５７’）と（５７）が連結することにより（５９）の凹凸の段差を形成し、ホイールリムの（５９）付近で本発明のタイヤ支持物の左右円周を挟んで固定することにより単純な形状の段差でつっかい用構造物を左右にずれないよう固定できる。
【０１１９】
図１４の（５９）の形状は、ホイールリムとタイヤ支持物の接合部分は車軸に対して垂直で平らな円周形状であるが、ホイールリムとタイヤ支持物は互いにかみ合うよう車軸に対して斜めに傾いたくさび形であったり、円周面が直線又は曲線の凹凸で形成したり、ホイールのタイヤ支持物支持部分をホイール同士のつなぎ目より内側又は外側に構成したものなど（５９）の形状や構成部分は本発明のものであればその種類は限定しない。
【０１２０】
図１４の（Ｂ）は、タイヤの空気漏れ防止用のパッキンを挟むことが可能である構造を有した図１４の（Ａ）の請求項４の構造（タイヤ支持物に接する部分の径がパッキン部分の径よりも大きい構造）を有するパッキン（６０）をホイール（５７，５７’）に装着した簡略図であり、本発明の本発明のタイヤ支持物又は本発明のホイールに、パッキン、シール、シート、フィルム、リング等名称によらずパッキンの働きをする物質を使用したり、本発明のホイールに特願２００９−２４１９１５などの構造や構造物を構成とするなど、その種類は限定しない。
【０１２１】
上記の例は本発明の説明のため記述したものであり、本発明の請求項によるものであれば、その形状、材質、構造などの形態の種類を完全に限定するものではない。
【０１２２】
図１５の（Ａ）は本発明で使用可能であるストッパー機構一例の簡略図を示し、矢印の方向の車軸から車輪外周方向へ回転運動するプレートよりなる固定用アーム（６１）を、タイヤ支持部分（３）に設けたアームの挿入用空間に挿入しアームの固定用ストッパー（６２）が矢印の方向へ回転運動することによる開閉によりアーム（６１）を固定し、固定用ストッパー（６２）に設けられた突起を内部へ挿入する固定用ガイド（６３）で（６２）を固定しストッパーの働きをするものである。
【０１２３】
図１５の（Ｂ）は本発明で使用可能であるストッパー機構一例の簡略図を示し、矢印の方向の車軸から車輪外周方向へ回転運動するプレートよりなる固定用アーム（６１）を、タイヤ支持部分（３）に設けたアームの挿入用空間に挿入しアームの固定用ストッパー（６２’）が矢印の車輪の円周方向へスライドすることによる開閉によりアーム（６１）を固定し、固定用ストッパー（６２’）がタイヤ支持部分（３）に設けられたスライド用ガイド（６３’）に連結されスライドし本発明の連結用アーム構成部（６１）を固定しストッパーの働きをするものである。
【０１２４】
図１５の（Ｃ）はタイヤ支持物同士が請求項１の回転軸を有することにより矢印の方向へ回転運動をすることによって互いの着脱が行える機構の簡略図一例を示し、回転軸によりタイヤ支持物（３）が回転運動することにより請求項１のタイヤ支持部分（３）に設けられた突起形状の着脱用突起装置（６５）と隣のタイヤ支持部分（３）に設けられた（６５）の着脱用空間（６６）が連結をし、（６５）の内部に設けられバネの力で突出したり押されることにより引っ込む突起（６５’）と、（６６）に設けられ（６５’）を挿入し固定する溝（６６’）をタイヤ支持部分（３）に設置することにより、着脱用装置として設けたものの例である。
【０１２５】
図１５の（Ｄ）は図１５の（Ｃ）の（６６）側の（３）の断面図を示し、（３）は（３’’）の中空状の空間を有し、隣のタイヤ支持物の突起を固定することが可能な強度を持つ溝（６６’）を有した構造体（６７）である。
【０１２６】
図１５の（Ｅ）は図１５の（Ｃ）の（６５）側の（３）の断面図を示し、（３）は（３’’）の中空状の空間を有し、隣のタイヤ支持物の固定用の溝を有した空間に挿入し固定することが可能な強度を持つバネの力により往復運動をする突起（６５’）を有した突起形状の着脱用装置（６５）を接合する構造体（６７）を図示したものである。
【０１２７】
図１６の（Ａ）は請求項２の分割したタイヤ支持部分同士の着脱用機構の簡略図一例を示し、図１６の（６８）は図１１の（Ａ）の回転用軸がテーパー形状になった請求項２の車軸と平行又はほぼ平行な方向へスライドをする連結用の軸又は突起を有した連結用部分であり、図１６の（６９）は図１１の（Ｂ）の穴がテーパー形状になった請求項２の連結用の軸又は突起を内包又は貫通させ車軸と平行又はほぼ平行な方向へスライドさせることが可能である穴又は溝を有した連結用部分である。
【０１２８】
図１６の（Ｂ）は図１６の（Ａ）の（６８）に車軸側から車輪外周側方向へ回転運動する連結用ストッパー（７０）を有したものであり、（７０）は固定用の穴（７０’）を有し回転軸（７１）で連結し回転する固定用の連結部分である。
【０１２９】
また、図１６の（Ｂ）の（７２）は（６９）と連結をした後固定するためのナット部分であるが、それらの形状や構造や材質の種類は様々であり、本発明の条件を満たすものであればその種類は限定しない。
【０１３０】
図１６の（Ｃ）は請求項２の連結用軸の遠位端に連結用ストッパーを構成としたものの簡略図一例を示し、連結用アーム（６８）に設けられる先端が円筒状となった回転用軸（６８’）、軸（７１）を中心に回転運動をする固定用ストッパー（７０）により、連結用の軸（６８’）に着脱するための穴を有した隣に設置するタイヤ支持部分に連結したアームの固定を（６８）と（７０）で示す両側から行うタイプの連結用アームである。
【０１３１】
図１６の（Ｄ）は固定用で図１６の（Ｃ）記載の連結用アーム（７０）を横から見た図であり、アーム（７０）は回転軸（７１）により矢印の方向へ回転運動し、また図の上下方向に貫通するアーム（７０）に本発明に含まれる固定用とめ具通過用の穴（７０’’）を有したものである。
【０１３２】
本発明で使用する回転軸の固定方法は、軸の先端に固定物を着脱するものや、連結用アームやタイヤ支持物に設けた固定用構造により固定するものであってもよくその種類は限定しない限定しない。
【０１３３】
ここで、本発明の回転軸とは運動の中心（広辞苑参照）すなわち回転運動をさせることができる中心となる構造物を示したものであり、回転軸はタイヤ支持部分や連結用アームなどにそれぞれ設けることができ、その種類は限定しない。
【０１３４】
図１７の（Ａ）は本発明のタイヤ支持物で使用可能であるタイヤ支持部分の連結用構造の簡略図一例を示し、（７３）及び（７３’）は別々のブロックになるタイヤ支持部分のそれぞれの両端に連結する回転軸部分を有したアーム部分であり、（７３）は（７３’）のアームを内部でスライドさせ（７３）が飛び出さない様ストッパーの突起を有した筒状アームであり、タイヤ支持部分の距離を一定以上離さずに一定以上タイヤ支持部分の円周が大きくなることを防げ回転運動によりタイヤ支持部分のブロック同士を近づけることができるアーム状連結装置である。
【０１３５】
図１７の（Ｂ）は本発明のタイヤ支持物で使用可能であるタイヤ支持物の簡略図一例を示し、（７４）及び（７４）は別々のブロックになるタイヤ支持部分のそれぞれの両端に連結する回転軸部分を有したアーム部分であり、（７４）と（７４）は回転軸（７５）で連結され、着脱時のタイヤ支持部分同士の距離を変えずアームの連結形状をタイヤ支持物の円周方向へ凹ませることが可能になる連結用アーム部分を示したものである。
【０１３６】
図１７の別々のタイヤ支持部分へ回転軸で連結される連結用アームは本発明の条件を満たすものであればワイヤーやシート状やチェーン状のものなどでもよく、構造や材質など本発明の請求項の条件を満たすものであればそれらの種類は限定しない。
【０１３７】
図１８の（Ａ）は本発明で使用可能なタイヤ支持部分を車軸と垂直な方向から見た簡略図一例を示し、アームが回転運動することによりタイヤ支持部分（３）とタイヤ支持部分（３）が矢印の方向へ近づき一部分が重なり合うものの例であり、タイヤ支持部分に着脱用装置を設けたり、タイヤ支持部分が複雑に構成した面により連結するものなど、本発明の条件を満たすものであれば、その種類は限定しない。
【０１３８】
図１８の（Ｂ）は本発明で使用可能な車軸と垂直な方向から見たタイヤ支持部分断面の簡略図一例を示し、タイヤパンク時のタイヤ支持部分（３）に設ける、タイヤ外周縁付近に位置するタイヤ支持部分の左右の距離を保つつっかい用構造物（７６）と、ホイールリム間においてタイヤ支持部分のホイールリム付近の左右面を支えるつっかい用構造物（７６’）である。
【０１３９】
図１９は本発明で使用が可能である構造部分一例の簡略図を示し、図１９の（Ａ）は図７の（Ｆ）で使用可能なとめ具で、図１９の（Ｂ）は図１９の（Ａ）に対して垂直な方向から見たものであり、（７７）は（２６）と同様のプレートに構成されたボルト止めの役目をする突起部分で、（３２）はボルトであり、六角形のボルトがプレートに構成された突起の内側にある六角形の溝により固定されることでボルトが回転しにくいようにした構造部分である。
【０１４０】
ボルトやプレートは接着されたり溶接されたものや、他のボルトやボルトの回転を抑制する構造のものを形成するなどそれらの種類は限定しない。
【０１４１】
図１９の（Ｃ）は図７の（Ｉ）などで使用可能なとめ具で、図１９の（Ｄ）は図１９の（Ｃ）付近を上から見たものであり、（７８）は（８）のスライド用連結部と同じ働きをするスライド用連結部であり、（７８’）は（７８）に設けた（７９）の可動式で矢印の方向へスライドするストッパーと連動して矢印の方向へ回転運動するストッパー用のスイッチであり、（８０）は図７の（Ｉ）の（３）付近の（７’）と同様にスライド用連結部をスライドさせるためのガイドである。
【０１４２】
図１９の（Ｅ）は（７８）のスライド用連結部などへ連結し図２の（Ａ）や（Ｂ）や（Ｃ）などの形状のガイドへ連結する可動部一例の簡略図を示し、（８１’）は図２の（Ａ）や（Ｂ）や（Ｃ）に連結する連結部であり、（８２）は（７８）などのスライド用連結部へ連結する連結部であり、（８１）は（８１’）と一体構成し左右で（８２）の半球状の溝に挟み込まれることにより矢印の方向へ可動するスライド用連結部の可動部を示したものでボールジョイントと同様のものであり、請求項１の条件の車軸と平行又はほぼ平行な方向に加え多少の向きを変えたガイドの使用をすることができるものである。
【０１４３】
ガイドの連結部における可動部は本発明の請求項に記載した条件の方向成分のタイヤ支持部分の移動及び固定が必ず行えるものであれば、他の機能を付け加えるなどその種類を限定しない。
【０１４４】
図２０は本発明で使用するガイド一例の簡略図を示し、図２０の（Ａ）は請求項１又は請求項２のタイヤ支持物に構成可能であるスライド用の溝形状のレール用ガイドを部分的に斜め上から見た図で、（８３）は（７）と同様の働きをするガイドである。
【０１４５】
図２０の（Ｂ）は本発明の請求項１又は請求項２のレールにはまる形状の突起形状連結部を示し、（８４）は（８３）の中をガイドにしてスライドする連結部である。
【０１４６】
図２０の（Ｃ）は図２の（Ｇ）が分割して複数個よりなったものの簡略図一例を示し、（８５）は連結用のアームであり、（８６）と（８６’）と（８６’’）の回転軸により連結され、（８６）や（８６’）や（８６’’）のいずれかか又はそれらのすべてが図２に記載又は図２と類似する請求項１のスライド機能を有したガイドを構成としたものであり、請求項２の着脱用機構は図２０の（Ｃ）のどの場所に設けてもよく、請求項２の条件を満たすものであればそれらの種類は限定しない。
【０１４７】
また、請求項２の着脱用機構は図４や図５や図８や図１９など他の請求項で使用するものと同様のものでよく、それらの種類は限定しない。
【０１４８】
図２０の（Ｄ）は本発明の請求項１又は請求項２の柱形状をしたスライド用レールガイド部分一例の簡略図を示し、車軸と平行な又はほぼ平行な方向へ設置可能である柱形状のレール用ガイド（８３’）がタイヤ支持部分（３）に直接設けられたものであり、（８３’）をスライドして移動する可動部分が外れない様にガイドの端に返しがあれば請求項１のガイドとなり、返しがなく可動部分が外れるものであれば請求項２のガイドとなる。
【０１４９】
図２０の（Ｅ）は本発明の請求項１の柱形状をしたスライド用レールガイド一例の簡略図を示し、車軸と平行な又はほぼ平行な方向へ設置可能である柱形状のレール用ガイド（８３’）がタイヤ支持部分（３）に固定用アーム（８３’’）を介して設けられたもので、請求項１の柱形状のレール用ガイドにはまる形状である連結及びスライド用の穴形状連結部（８４’）が（８３’）を貫通させて（８３’）をガイドにして矢印の方向にスライドして移動するものである。
【０１５０】
図２１は本発明で使用可能であるタイヤ支持物構成部を含んだ簡略図一例であり、図２１の（Ａ）は連結用アーム（８７）及び（８７’）を介して両側のタイヤ支持部分（３）同士が連結することにより円形になる最後に装着するタイヤ支持部分付近の図であり、矢印の方向へタイヤ支持部分を回転運動させることによりはめ込まれるが、最後に装着するタイヤ支持部分同士を図の様な曲線形状の面にすることによりタイヤ支持部分同士が接する様に連結することができる。
【０１５１】
また、図２１の（Ａ）の（８７）は請求項１の回転軸（８８）によりタイヤ支持部分（３）に連結され、２つの（８７’）は３カ所の請求項１の回転軸（８８’）により連結される構造のものである。
【０１５２】
図２１の（Ｂ）は図２１の（Ａ）とは異なり請求項１の回転軸（８９）及び連結固定用ピン（９０）により直接タイヤ支持部分（３）同士をすべて装着したものの図であり、タイヤ支持部分同士の接合面の曲線部分の形状は、直線形の面であっても図１２の（Ｃ）や図１８の（Ａ）などのように凹凸形の面であっても本発明の請求項の条件を満たし任意の形状に連結できるものであれば、それらの形状や構造や材質などそれらの種類は限定しない。
【０１５３】
また、図２１では６個のタイヤ支持部分が連結することにより輪形状のタイヤ支持物となるものであるが、分割するタイヤ支持部分の数は４個や５個に分割したものや７個以上に分割したもや少ないものなど考えることができ本明細書に記載した他の図のタイヤ支持部分と同様に、その種類は限定しない。
【０１５４】
図２１の（Ｃ）は図２１の（Ｂ）の内側の縁がタイヤの内側の縁を示す点線（９１）とほぼ同じか又はタイヤの内周縁よりタイヤの外周縁側にある簡略図を示したものであり、図２１の（Ｄ）はタイヤの空気を入れる空間内にタイヤパンク時のタイヤ支持物を挿入した時に最後にタイヤ支持部分を仮定するための固定用のピン（９０）を有した隣り合うタイヤ支持物（３）同士付近を示した簡略図で、図２１の（Ｅ）は矢印の方向へスライドする請求項１の回転軸（８９）を有した隣り合うタイヤ支持部分（３）同士付近を示した簡略図であり、タイヤ支持物が図２１の（Ｄ）や（Ｅ）の構造か又は図１８の（Ａ）の様な構造を有することにより、タイヤパンク時のタイヤ支持物の構成物をタイヤの内側の縁より車軸側に部分的に移動させ多少変形させることが可能である。
【０１５５】
図２１の（Ｄ）と（Ｅ）は本発明のタイヤ支持部分がジグザグに配置されたものであるが、タイヤ支持部分（３）の隙間が開かないようにタイヤ支持部分を詰めて構成することにより、車輪回転時のつなぎ目の段差による衝撃を減らすことが可能であり、タイヤ支持部分（３）のパンク時のタイヤの内側面との設置部分の面積を図１２の様に増やすことでジグザグな形状からくる接地部分の違いを調整することが可能である。
【０１５６】
図２２は本発明の請求項３の取っ手部分の簡略図一例を示し、（Ａ）はタイヤ支持物をタイヤの車軸側からタイヤの外側方向へ見た図であり、（９２）は取っ手用のくぼみであり、（９２）を手で持ち矢印の方向へ可動させることにより本発明の条件のスライド運動をさせることが可能なものである。
【０１５７】
図２２の（Ｂ）は図２２の（Ａ）を車軸側から見た簡略断面図であり、タイヤ支持部分（３）は軸（９３）により請求項１の回転運動をすることが可能なものである。
【０１５８】
図２２の（Ｃ）は請求項３のタイヤ支持部分を車軸側から見た簡略図一例を示し、タイヤ支持部分（３）に構成された取っ手用のくぼみ（９２）に対して、（９４）はくぼみの（９２）の上部すなわち車軸側付近に設置された取っ手用ハンドルであり、（９２’）はくぼみ（９２）上部すなわち車軸側付近の一部を覆う蓋のように設置された返し型の取っ手部分であり、片方の手で（９４）をつかみもう一方の手を（９２’）に引っかけて矢印の方向へ（３）を引き出すことにより、タイヤ支持物を設置するための取っ手用構造物である。
【０１５９】
図２２の（Ｄ）と図２２の（Ｅ）は図２２の（Ｃ）を車軸と平行な方向に切った断面の簡略図一例を示し、（９４）又は（９２’）の取っ手をつかんでタイヤ支持部分を動かすことにより、本発明の請求項の効果を果たすものであり、取っ手の形状や構造や材質の種類は本発明の条件を満たすものであればそれらの種類は限定しない。
【０１６０】
図２３は本発明のタイヤ支持物の簡略図一例を示し、それぞれ分割されたタイヤ支持部分（３）にあるスライド用ガイド（７）を移動する連結部（８）が柱形状の連結物（９５）により連結され請求項１の条件を満たす効果を有したものである。
【０１６１】
また、図２３の（９６）はタイヤ支持部分（３）に直接固定され設置された隣のタイヤ支持部分を固定するための突起であり、図４の機構を対向したタイヤ支持部分（３）が構成とすることにより最終的に固定するタイヤ支持物である。
【０１６２】
図２４は本発明で使用することが可能なタイヤ支持部分の固定用機構一例の簡略図を示し、（Ａ）はタイヤ支持部分を車軸の延長方向から見た図で、（Ｂ）は（Ａ）の（９７）付近を車軸側方向からタイヤの外周方向へ見た図で、（Ｃ）は（Ｂ）を車軸と垂直な方向から見たずで、（Ｄ）は（Ａ）の（９８）付近を車軸側方向からタイヤの外周方向へ見た図で、タイヤ支持部分（３）に設けられたストッパー収納空間（９９）に内蔵され固定用突起を持つストッパー（９７）が、（９７）の固定用突起の挿入用の穴を先端に有しもう一方のタイヤ支持部分（３）に設けられたストッパー収納空間（９９’）に内蔵された可動式ストッパー（９８）と連結する連結用アーム（８７）を補助してタイヤ支持部分（３）同士の連結をより強固にしたものである。
【０１６３】
また、（９７）と（９８）はタイヤ支持部分の車軸側の面において、タイヤ支持物（３）に設けたストッパー用スイッチのスライド用ガイド（１００）に沿って、矢印の方向へ可動するものである。
【０１６４】
本発明の請求項の連結用アームの固定用装置はアームが確実に固定されるものであれば、それらの種類は限定しない。
【０１６５】
タイヤ支持部分に着脱用装置を設けたり、タイヤ支持部分が複雑な面により連結するものなど、本発明の条件を満たすものであれば、その種類は限定しない。
【０１６６】
本発明で使用するとめ具の種類は様々なものを使用することができ、その種類は限定しない。
【０１６７】
本発明のタイヤパンク時のタイヤ支持物は請求項１の構造物を本発明のタイヤ支持物に構成すれば、他の構造物や構造や装置や機構を複合したりすることは任意であり、その種類は限定しない。
【０１６８】
本発明の実施態様は以下の通りである。
１．車輪を構成する部分の形状や構造や材質などの種類は様々である。
２．本発明で使用するタイヤ支持物の構造内部の円周の長さを維持可能で変形可能なリング状構造物のものは、ワイヤー、カーカス、チェーン、プレート、ローラー、リング、網、鎖、ネット、布、ビード、ベルト、ひも、ブレーカー、スプリング、クローラー、キャタピラー、ブロック等名称によらず円周の長さを維持可能で変形可能な輪の形状のものであれば、その種類は限定しない。
３．車輪に設けられる溝や穴の形状は本発明の条件を満たすものであれば、その種類は限定しない。
４．本発明のタイヤ支持物とタイヤの空気抜け防止用パッキンの一体化や、空気圧センサーを組み合わせるなどその種類は多様であり、本発明の条件を満たすものであればその種類は限定しない。
５．本発明のタイヤ支持物の輪形状を形成するため連結するタイヤ支持物構成部の個数は複数個からなるが、本発明のタイヤ支持部分を連結するための固定の方法やとめ具や連結部の種類や構造や形状や個数などの種類は多様であり、本発明の条件を満たすものであればその種類は限定しない。
６．本発明の車輪において、特願２０１０−１３１０９５や他の機能や装置や構造との組み合わせは、多様でありその種類は限定しない。
【符号の説明】
【０１６９】
１：車輪、２：車軸、３：分割したタイヤパンク時のタイヤ支持部分、３’：輪形状のタイヤ支持物、３’’：中空状の空間、４：筒の内側形状を有したガイド、５：柱状ガイド、６：筒形状の柱状ガイド、７：タイヤ支持部分に設けた溝形状ガイド、７’：ガイドの穴空間、８：スライド用連結部、９：連結用アーム、９’：請求項１の回転軸、１０・１０’：車軸方向の回転運動用回転軸、１１：連結用アーム同士の連結用回転軸、１２：連結用アーム、１２’：連結用アームの両側に設けられた穴、１３：連結用アーム、１３’：連結用アームに設けられた穴、１４：スライドして移動する突起、１５・１５’・１５’’・１５’’’’：連結用機構、１５’’’：スイッチ用取っ手、１６：スプリング、１７：着脱用突起、１８：着脱用空間、１９：往復運動をする可動突起、２０：円柱形状の棒ガイド、２１・２２：筒形状ガイド、２３：棒状ガイド、８’：連結部、２３’：ガイド、２４：往復運動をする可動突起、２５：穴状の空間、２６：プレート、２７：ガイド、８Ｌ・８Ｒ：ガイドとの連結部分、２９：ボルト、２９’：４７の先端に設けたねじの切ったボルト部分、３０：止めナット、３１：本ナット、３２：ボルト、３３：プレート、３４：３３に設けられた穴、３５：連結部、３６：ガイド、３７：ボルトを接合した突起、３８：ボルト、３９：ワッシャー、４０：スイッチ用取っ手、４０’：穴、４１：タイヤ支持部、４１’：４１に設けた溝、４１’’：穴、４２：ボルト、４３：タイヤ支持部分、４４：スライド防止用ブロック、４５：ストッパー、４６：連結用アーム、４７：タイヤ支持物に設けられた突起、４８：タイヤ支持物に設けられた穴、４８’：連結用の突起の通過用溝、４９：請求項１の回転運動及びスライド運動ができる軸、５０：連結用アーム、５０’：５０に設けた突起固定用の穴、５１・５２：連結用フック、５３：連結用回転運動軸、５４：つっかい用構造物、５５：ワイヤー、５６・５６’・５６’’：カーカス、５７：ホイールリム、５７’：連結用ホイールリム部分、５８：タイヤ支持部分、５９：タイヤ支持物固定部分、６０：パッキン、６１：アーム構成部、６２・６２’：アームの固定部、６３・６３’：固定用ガイド、６１：連結用アーム構成部、６２：アームの固定部、６３：固定用ガイド、６２’：アームの固定部、６３’：スライド用ガイド、６５：着脱用突起装置、６６：６５の着脱用空間、６５’：可動突起、６６’：６５’を挿入し固定する溝、６７：固定用構造体、６８：連結等アーム及びテーパー形状になった回転軸、６８’：軸、６９：連結用アームにテーパー形状の穴を設けたもの、７０：連結用部分、７０’：とめ具用の穴、７０’’：とめ具用の穴、７１：連結用部分の回転軸、７２：固定用ナット部分、７３・７３’：スライドタイプ連結用アーム、７４：回転運動用タイプアーム構成部、７５：回転軸、７６：タイヤ外周付近でのつっかい用構造物、７６’：ホイールリム間でのつっかい用構造物、７７：ボルト止め構造、７８：スライド用連結部、７８’：ストッパー用のスイッチ、７９：可動ストッパー、８０：スライド用ガイド、８１：スライド用連結部の可動部、８１’：ガイドとの連結部、８２：スライド用連結部との連結部、８３：ガイド、８３’：柱形状のスライド用レールガイド、８３’’：固定用アーム、８４：連結部、８４’：穴の開いた連結部、８５：連結用アーム、８６・８６’・８６’’：回転軸、８７・８７’：連結用アーム、８８・８８’：回転軸、８９：請求項１の回転軸、９０：連結固定用ピン、９１：タイヤの内側の縁、９２：取っ手用のくぼみ、９２’：取っ手用の返し蓋、９３：回転軸、９４：取っ手用ハンドル、９５：連結物、９６：固定用突起 、９７・９８：スライド用ストッパー、９９・９９’：ストッパー収納空間、１００：ストッパー用スイッチのスライド用ガイド
【手続補正２】
【補正対象書類名】特許請求の範囲
【補正対象項目名】全文
【補正方法】変更
【補正の内容】
【特許請求の範囲】
【請求項１】
車輪のタイヤとホイールリムで囲まれた輪形状の空間内においてパンクしたタイヤの内側の面に接触して車輪としての支持用の輪形状であるタイヤ支持物であり、
前述の輪形状であるタイヤパンク時のタイヤ支持物は、輪を２個以上の複数個に分割したタイヤ支持部分（３）、及び、前述の分割したタイヤ支持部分同士を連結するジョイント、により構成され、
前述の分割したタイヤ支持部分（３）同士が連結することによって輪の形状となるタイヤパンク時のタイヤ支持物において、
前述の分割したタイヤ支持部分（３）同士を連結するジョイントが、
隣り合う分割したタイヤ支持部分同士の距離を保ちタイヤ支持部分同士の回転運動用である車軸と平行な方向又は車軸とほぼ平行な方向に設置した軸（１０、２１、２２）、よりなるタイヤ支持部分同士の連結用回転軸、
及び、
隣り合う分割したタイヤ支持部分（３）同士を車軸と平行な方向又はほぼ平行な方向への移動及び固定用である、車軸と平行な又はほぼ平行な方向へ設置可能である溝形状のレール用ガイド（７）及び前述の溝形状のレール用ガイドにはまる形状である連結及びスライド用の突起形状連結部（８）、よりなる往復運動するスライド用ガイド、  又は、  隣り合う分割したタイヤ支持部分（３）同士を車軸と平行な方向又はほぼ平行な方向への移動及び固定用である、車軸と平行な又はほぼ平行な方向へ設置可能である柱形状のレール用ガイド（５）及び前述の柱形状のレール用ガイドにはまる形状である連結及びスライド用の穴形状連結部（４）、よりなる往復運動するスライド用ガイド、
を構成としたことを特徴とする、タイヤパンク時のタイヤ支持物。
【請求項２】
上記請求項１に記載の、車軸と平行又はほぼ平行な方向へスライドをする連結用の往復運動するスライド用ガイド、において、
上記のスライド用ガイドの返しをなくした（８３、８４）、分割したタイヤ支持部分（３）同士の着脱用機構、
を構成としたことを特徴とする、タイヤパンク時のタイヤ支持物。
【請求項３】
上記請求項１及び請求項２記載のタイヤパンク時のタイヤ支持物（３）の車軸側へ面した面において、取っ手（９４、９２’）、又は、取っ手用の溝（９２）又は穴、
を構成としたことを特徴とする、タイヤパンク時のタイヤ支持物。
【請求項４】
ホイールリム又はホイールディスクのタイヤ側における車軸と垂直又は垂直に近い円周面上において、
上記請求項１〜請求項３記載のタイヤパンク時のタイヤ支持物を挟み込む固定用の凹凸構造部分（５９）、
を構成としたことを特徴とする、パンク対応用車輪。
【手続補正３】
【補正対象書類名】図面
【補正対象項目名】図１４
【補正方法】変更
【補正の内容】
【図１４】
2013216107.tif 000027